(57)【要約】【課題】  遊技に対する遊技者の興趣が低下するのを抑制することが可能な遊技機を提案する。【解決手段】  遊技媒体を用いて遊技を行う遊技機であって、第一装飾体及び第二装飾体を有し、第二装飾体の長手方向の一端側に前記第一装飾体が連結された装飾体と、第二装飾体の他端側を保持し、当該第二装飾体を回転駆動する装飾体駆動手段とを設け、第一装飾体及び第二装飾体を、所定の第一傾き角までは一体に回動し、当該第一傾き角を超えた後は第一装飾体が第二装飾体との連結部位を中心として揺動できるよう連結するようにした。【選択図】        図５０
2017046831.tif 000002
【特許請求の範囲】
【請求項１】
遊技媒体を用いて遊技を行う遊技機であって、
第一装飾体及び第二装飾体を有し、前記第二装飾体の長手方向の一端側に前記第一装飾体が連結された装飾体と、
前記第二装飾体の他端側を保持し、当該第二装飾体を回転駆動する装飾体駆動手段と
を備え、
前記第一装飾体及び前記第二装飾体は、
所定の第一傾き角までは一体に回動し、当該第一傾き角を超えた後は前記第一装飾体が前記第二装飾体との連結部位を中心として揺動できるよう連結された
ことを特徴とする遊技機。
【発明の詳細な説明】
【技術分野】
【０００１】
本発明は、遊技機に関し、例えば、ぱちんこ遊技機（一般的に「パチンコ機」とも称する）や回胴式遊技機（一般的に「パチスロ機」とも称する）等の遊技機に適用して好適なものである。
【背景技術】
【０００２】
パチンコ機等の遊技機は、遊技球等の遊技媒体が打込まれ多数の障害釘が所定のゲージ配列で植設されている遊技領域と、遊技領域内の所定位置に配置され遊技媒体を受入可能な複数の受入口（例えば、一般入賞口、可変入賞口、始動口、可変始動口、役物入賞口、大入賞口、Ｖ入賞口、等）と、備えている。遊技領域内に打込まれた遊技媒体が、受入口に受入れられること、遊技者に対して特典（例えば、所定数の遊技媒体の払出し、遊技者が有利となる有利遊技状態の発生、等）が付与され、遊技者を楽しませることができる。また、遊技領域内には、演出表示手段が備えられており、演出表示手段に表示される演出画像によっても遊技者を楽しませることができる。
【０００３】
また遊技機では、受入口としての始動口への遊技媒体の受入れにより抽選を行い、抽選された抽選結果に応じて、その抽選結果を示唆する演出画像を演出表示手段に表示させ、抽選された抽選結果が特別抽選結果であれば、可変入賞口としての大入賞口や役物入賞口等を、所定パターンで開閉させることで多くの遊技媒体を受入れられるようにして、遊技者が有利となる有利遊技状態（例えば、大当り遊技）を発生させて遊技者を楽しませるようにしている。
【０００４】
さらに遊技機では、役物と呼ばれる可動性の演出ユニットが遊技領域内に複数設けられており、かかる演出ユニットを遊技状態に応じて駆動することにより、演出表示手段に表示される演出画像だけでなく演出ユニットの動きによっても遊技者を楽しませることができるようにしている（特許文献１参照）。
【先行技術文献】
【特許文献】
【０００５】
【特許文献１】特開２０１１−２３４７８０号公報
【発明の概要】
【発明が解決しようとする課題】
【０００６】
ところで、通常、遊技機に設けられた可動性の演出ユニットは、モータ等の回転出力に基づいて１又は複数の既定の動きを繰り返し行うだけであり、このためかかる演出ユニットを用いた演出が繰り返されるとその動きに遊技者が飽きてしまい、遊技に対する遊技者の興趣が低下してしまう虞があった。
【０００７】
本発明は以上の点を考慮してなされたもので、遊技に対する遊技者の興趣が低下するのを抑制することが可能な遊技機を提案しようとするものである。
【課題を解決するための手段】
【０００８】
手段１：遊技機において、
「遊技媒体を用いて遊技を行う遊技機であって、
第一装飾体及び第二装飾体を有し、前記第二装飾体の長手方向の一端側に前記第一装飾体が連結された装飾体と、
前記第二装飾体の他端側を保持し、当該第二装飾体を回転駆動する装飾体駆動手段と
を備え、
前記第一装飾体及び前記第二装飾体は、
所定の第一傾き角までは一体に回動し、当該第一傾き角を超えた後は前記第一装飾体が前記第二装飾体との連結部位を中心として揺動できるよう連結された」ことを特徴とする。
【０００９】
ここで「第一装飾体及び第二装飾体」としては、立体的な装飾が施された装飾体を挙げることができる。より具体的には、「第一の装飾体及び第二の装飾体」を、夫々「装飾体の前面の一部を構成し所定パターンで着色され透明材料から形成されると共に立体的な装飾が施され、後方が開放された箱状の装飾部材と、装飾部材の後方を塞ぐ装飾体蓋体と、装飾部材及び装飾体蓋体間に配置されＬＥＤ等の発光素子が取り付けられた装飾体装飾基板と、を備えたもの」、等として構成することができる。
【００１０】
また第一装飾体及び第二装飾体の「連結」方法としては、例えば、第一装飾体に第二装飾体方向に突出する連結部を設け、当該連結部の先端部に前後方向に突出する円筒部を設けると共に、第二装飾体に連結突起を設け、第二装飾体の連結突起を第一装飾体の円筒部の貫通孔に嵌め込む方法等を適用することができる。このような構成の場合、円筒部が「連結部位」であり、第一装飾体はこの円筒部の中心軸を中心として揺動することになる。
【００１１】
「装飾体駆動手段」の構成としては、駆動源としてモータを有し、モータの回転出力に基づいて装飾体を回転駆動する種々の構成を採用することができる。この場合、「モータ」としては、ブラシ付きＤＣモータやブラシレスＤＣモータ又はステッピングモータなどを適用することができる。また「駆動源」としてモータ以外のアクチュエータを用いることもできる。
【００１２】
また「第一傾き角」としては、「第一装飾体及び第二装飾体が水平方向から正面視時計回り方向又は正面視反時計回り方向に90度近くまで回動した角度」が挙げられる。「90度近く」とは、水平方向から正面視時計回り方向又は正面視反時計回り方向に90度回動した角度からそれとは逆方向（正面視反時計回り方向又は正面視時計回り方向）に小さい所定角度ａ（例えば１〜１０度程度）だけ戻した角度（（90−ａ）度）を指す。
【００１３】
「揺動」とは、第一装飾体が第二装飾体との連結部位を中心として第二装飾体が回転する平面と同一平面上で自然な状態で揺れ動くことを指す。ただし、第二装飾体が回転する平面と異なる平面上で第一装飾体が揺れ動くようにしてもよい。また「自然な状態で揺れ動く」とは、慣性力や重力にのみ基づいて揺れ動くことを指す。
【００１４】
手段１の構成によると、装飾体駆動部が第二装飾体を回転駆動するときに、第二装飾体が第一傾き角にまで傾くまでの間は第一装飾体及び第二装飾体が一体に回転するものの、第二装飾体の傾きが第一傾き角を超えた段階で第一装飾体が慣性力及び重力に基づいて自然な状態で揺動することとなり、自然な動きを第一装飾体にさせることができる。従って、第一装飾体について、意図的かつ機械的な動きと、意図的かつ機械的ではない自然な動きとを遊技者に見せることができ、その分、遊技者が早期に装飾体の動きに飽きるのを防止して、遊技に対する遊技者の興趣が低下するのを有効に防止することができる。
【００１５】
また手段１の構成によると、第二装飾体の傾きが第一傾き角を超えた以降も第一装飾体を第二装飾体と一体に回転させる場合と比べて第一装飾体を大きく動かすことができるため、第一装飾体の動きによって遊技者を楽しませて遊技に対する遊技に対する興趣が低下するのを有効に防止することができる。
【００１６】
手段２：手段１の構成において、
「前記第一装飾体は、
前記第二装飾体側に突出する連結部を備え、
前記第二装飾体は、
前記第一装飾体の前記連結部が連結され、前記第一装飾体に近接する方向及び離反する方向にスライド自在に配置されたスライダと、
前記第二装飾体の傾き角に応じた距離だけ前記スライダを前記第一装飾体に近接する方向又は離反する方向にスライドさせるスライダ駆動手段と
を備え、
前記スライダ駆動手段は、
前記第二装飾体が初期状態から所定の第一回動方向に回動する際には、前記スライダを前記第一装飾体に近接する方向にスライドさせ、前記第一回動方向に回動した前記第二装飾体が前記初期状態に戻る第二回動方向に回動する際には、前記スライダを前記第一装飾体に近接する方向にスライドさせる」ものであることを特徴とする。
【００１７】
「連結部」は、どのような形状であってもよく、どの程度第二装飾体側に突出するかも限定されない。また「スライダ」も、どのような形状であってもよく、またどの程度の距離をスライドするかも限定されない。第一装飾体の揺動が第二装飾体により邪魔されない程度に第一装飾体を第二装飾体から離反させることができるのであれば、「連結部」の第二装飾体側への突出量や「スライダ」の可動範囲は自由に選定することができる。
【００１８】
「スライダ駆動手段」としては、機械的な構造により第二装飾体の傾き角度に応じた距離だけスライダをスライドさせるものや、第二装飾体の傾き角を電気的又は光学的に計測し、計測結果に基づいてモータ等のアクチュエータを駆動することによりスライダをスライドさせるものなどを挙げることができる。
【００１９】
「初期状態」とは、回動し始める前の第二装飾体の状態を指す。例えば、水平状態や、水平状態から僅かに傾いた状態などを適用することができる。また「第一回転方向」とは、時計回り方向又は反時計回り方向のいずれかであり、「第一回転方向」が時計回り方向である場合には「第二回転方向」が反時計回り方向となり、「第一回転方向」が反時計回り方向である場合には「第二回転方向」が時計回り方向となる。
【００２０】
手段２の構成によると、第二装飾体の第一回動方向への回動に伴って、第一装飾体が第二装飾体に対して相対的に当該第二装飾体から離反する方向に移動するため、第一装飾体及び第二装飾体が第一傾き角まで傾き、第一装飾体が揺動できるようになった状態において、第一装飾体が第二装飾体から離反した状態となり、第一装飾体の揺動が第二装飾体によって邪魔されるのを防止することができる。従って、手段２の構成によれば、第一装飾体をより大きく揺動させることができるため、第一装飾体の動きに遊技者の注目させることができ、その分、遊技者が早期に装飾体の動きに飽きるのを防止して、遊技に対する遊技者の興趣が低下するのを有効に防止することができる。
【００２１】
手段３：手段２の構成において、
「前記スライダ駆動手段は、
前記第二装飾体が前記初期状態から前記第一回動方向に回動する際、前記第二装飾体が前記第一傾き角よりも小さい所定の第二傾き角に傾くまでは前記スライダをスライドさせず、前記第二装飾体が前記第二傾き角を超えた後に前記スライドを前記第一装飾体に近接する方向にスライドさせる」ものであることを特徴とする。
【００２２】
手段３の構成によると、第二装飾体を第一回転方向に回動させたときに、第二傾き角に到達するまでの間は第一装飾体及び第二装飾体が一体に回動し、第二傾き角から第一傾き角までの間は第一装飾体が第二装飾体に対して相対的に離反する方向に移動し、その後は第一装飾体が自然な状態で揺動することになる。従って、手段３の構成によれば、装飾体の形態として、第二傾き角に到達するまでの間の形態と、第二傾き角から第一傾き角までの間の形態と、第一傾き角以降の形態との３つの形態を発現させることができるため、遊技者に対して装飾体の形態の変化に対する興味を持たせることができ、その分、遊技者が早期に装飾体の動きに飽きるのを防止して、遊技に対する遊技者の興趣が低下するのを有効に防止することができる。
【００２３】
手段４：手段１乃至手段３の何れか一つの構成において、
「遊技者に視認可能に配置され、所定条件を満たしたときに変化する遊技状態に応じた演出画像を表示する演出表示手段をさらに備え、
前記第一装飾体及び前記第二装飾体は、前記演出表示手段における前記演出画像を表示する表示面の前方の範囲内で回動し、
前記第一装飾体は、前記演出表示手段の前記表示面の前方の範囲内で揺動する」ものであることを特徴とする。
【００２４】
「所定条件」としては、「遊技媒体が遊技領域内に設けられた始動領域を通過した」ことや、「所定数の遊技媒体が投入口に投入され、始動レバーが押下された」ことなどを挙げることができる。なお「遊技媒体」としては、「遊技媒体が遊技領域内に設けられた始動領域を通過した」ことが「所定条件」である場合には遊技球を適用でき、「所定数の遊技媒体が投入口に投入され、始動レバーが押下された」ことが「所定条件」である場合にはコインを適用することができる。
【００２５】
また、「演出表示手段」としては、「液晶表示装置（ＬＥＤ）」、「ブラウン管表示装置（ＣＲＴ）」、「プラズマディスプレイ」、「レーザディスプレイ」、「ＬＥＤ表示装置」、「有機ＥＬ表示装置」、「電子ペーパー表示装置」、等が挙げられる。
【００２６】
さらに、「演出画像」としては、「複数の図柄列を変動表示させた後に、一つの図柄列を除いて可変入賞口が開閉する特定の図柄の組合せで他の図柄列を停止させ、その後に残った一つの図柄列を特定の図柄の組合せとなる図柄で停止させる演出画像（例えば、当りリーチ演出画像）」、「複数の図柄列を変動表示させた後に、一つの図柄列を除いて可変入賞口が開閉する特定の図柄の組合せで他の図柄列を停止させ、その後に残った一つの図柄列を特定の図柄の組合せとならない図柄で停止させる演出画像（例えば、ハズレリーチ演出画像）」、「複数の図柄列を変動表示させた後に、可変入賞口が開閉する特定の図柄の組合せで図柄列を停止させる演出画像」、等が挙げられる。
【００２７】
さらに「演出表示手段の表示面の前側領域の範囲内」とは、演出表示手段の表示面の前方であって、遊技者から見て演出表示手段の表示面と、回動又は揺動する第一装飾体及び第二装飾体の全体とが常に重なる範囲内を指す。
【００２８】
手段４の構成によると、かかる範囲内でのみ第一装飾体及び第二装飾体が回動することにより、演出表示手段に表示された演出画像を目視する遊技者の視野内に、常に、第一回動方向や第二回動方向に回動する第一装飾体及び第二装飾体の全体が入り込むこととなり、第一装飾体及び第二装飾体の動きを目立たせ、遊技者を第一装飾体及び第二装飾体の動きに注目させることができる。従って、第一装飾体及び第二装飾体の動きに対する興味を遊技者に沸かせることができ、その分、遊技に対する遊技者の興趣が低下するのを有効に防止することができる。
【００２９】
手段５：手段１から手段４までの何れか一つの遊技機において、
パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００３０】
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００３１】
手段５の構成によると、パチンコ機において、上述した手段のいずれかの作用効果を奏することができる。
【００３２】
手段６：手段１から手段４までの何れか一つの遊技機において、
パチスロ機であることを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合せが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００３３】
手段６の構成によると、パチスロ機において、上述した手段のいずれかの作用効果を奏することができる。
【００３４】
手段７：手段１から手段４までの何れか一つの遊技機において、
パチンコ機とパチスロ機とを融合させてなることを特徴とする。
ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合せが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００３５】
手段７の構成によると、パチンコ機とパチスロ機とを融合させてなる遊技機において、上述した手段のいずれかの作用効果を奏することができる。
【発明の効果】
【００３６】
本発明によれば、第一装飾体が自然な状態で揺動できるようにすることで遊技者に第一装飾体の動きを楽しませることができるため、遊技に対する遊技者の興趣が低下するのを抑制することが可能な遊技機を実現できる。
【図面の簡単な説明】
【００３７】
【図１】本発明の一実施形態であるパチンコ機の正面図である。
【図２】パチンコ機の右側面図である。
【図３】パチンコ機の平面図である。
【図４】パチンコ機の背面図である。
【図５】パチンコ機を前から見た斜視図である。
【図６】パチンコ機を後ろから見た斜視図である。
【図７】本体枠から扉枠を開放させると共に、外枠から本体枠を開放させた状態で前から見たパチンコ機の斜視図である。
【図８】パチンコ機を扉枠、遊技盤、本体枠、及び外枠に分解して前から見た分解斜視図である。
【図９】パチンコ機を扉枠、遊技盤、本体枠、及び外枠に分解して後ろから見た分解斜視図である。
【図１０】パチンコ機における扉枠の正面図である。
【図１１】扉枠の背面図である。
【図１２】扉枠を右前から見た斜視図である。
【図１３】扉枠を左前から見た斜視図である。
【図１４】扉枠を後ろから見た斜視図である。
【図１５】扉枠を主な部材毎に分解して前から見た分解斜視図である。
【図１６】扉枠を主な部材毎に分解して後ろから見た分解斜視図である。
【図１７】扉枠の皿ユニットを前から見た斜視図である。
【図１８】皿ユニットを後ろから見た斜視図である。
【図１９】皿ユニットを主な部材毎に分解して前から見た分解斜視図である。
【図２０】皿ユニットを主な部材毎に分解して後ろから見た分解斜視図である。
【図２１】皿ユニットの演出操作ユニットを前から見た斜視図である。
【図２２】演出操作ユニットを後ろから見た斜視図である。
【図２３】演出操作ユニットを主な部材毎に分解して上から見た斜視図である。
【図２４】演出操作ユニットを主な部材毎に分解して下から見た分解斜視図である。
【図２５】演出操作ユニットの取付ベースユニットを分解して上から見た分解斜視図である。
【図２６】取付ベースユニットを分解して下から見た分解斜視図である。
【図２７】演出操作ユニットのタッチユニットを分解して上から見た分解斜視図である。
【図２８】タッチユニットを分解して下から見た分解斜視図である。
【図２９】演出操作ユニットのボタンユニットを分解して上から見た分解斜視図である。
【図３０】ボタンユニットを分解して下から見た分解斜視図である。
【図３１】皿ユニットの平面図である。
【図３２】図３１におけるＡーＡ断面において演出操作ユニットの部位を拡大して示す断面図である。
【図３３】図３１におけるＢ−Ｂ断面において演出操作ユニットの部位を拡大して示す断面図である。
【図３４】（ａ）は皿ユニットの扉右下演出ユニットの正面図であり、（ｂ）は扉右下演出ユニットの右側面図である。
【図３５】扉右下演出ユニットを前から見た斜視図である。
【図３６】扉右下演出ユニットを後ろから見た斜視図である。
【図３７】図３４（ｂ）の扉右下演出ユニットにおけるＣ−Ｃ断面図である。
【図３８】扉右下演出ユニットを分解して前から見た分解斜視図である。
【図３９】扉右下演出ユニットを分解して後ろから見た分解斜視図である。
【図４０】扉右下演出ユニットの回転体内部ユニットを分解して前から見た分解斜視図である。
【図４１】回転体内部ユニットを分解して後ろから見た分解斜視図である。
【図４２】（ａ）は扉右下演出ユニットの扉右下回転体が前を向いた状態の正面図であり、（ｂ）は扉右下回転体が後ろを向いた状態の正面図である。
【図４３】（ａ）は皿ユニットの上皿球抜きユニットを皿ユニットベースに取付けた状態で前から見た斜視図であり、（ｂ）は上皿球抜きユニットを皿ユニットベースに取付けた状態で後ろから見た斜視図である。
【図４４】上皿球抜きユニットを分解して前から見た分解斜視図である。
【図４５】上皿球抜きユニットを分解して後ろから見た分解斜視図である。
【図４６】（ａ）は皿ユニットの下皿球抜きユニットを前から見た斜視図であり、（ｂ）は下皿球抜きユニットを後ろから見た斜視図である。
【図４７】遊技盤の正面図である。
【図４８】遊技盤を前から見た斜視図である。
【図４９】遊技盤を後から見た斜視図である。
【図５０】（ａ）上部前側演出ユニットを前から見た斜視図であり、（ｂ）は上部前側演出ユニットを後から見た斜視図である。
【図５１】上部前側演出ユニットの正面視左側部分を分解して後から見た分解斜視図である。
【図５２】上部前側演出ユニットの正面視左側部分を分解して分解して前から見た分解斜視図である。
【図５３】左上装飾体駆動部を分解して後から見た分解斜視図である。
【図５４】上部前側演出ユニットの正面視左側部分の動きの説明に供する背面図である。
【図５５】上部前側演出ユニットの正面視左側部分の動きの説明に供する背面図である。
【図５６】上部前側演出ユニットの正面視左側部分の動きの説明に供する背面図である。
【発明を実施するための形態】
【００３８】
以下図面について、本発明の一実施の形態を詳述する。
【００３９】
［１．パチンコ機の全体構造］
本発明の一実施形態であるパチンコ機１について、図面を参照して詳細に説明する。まず、図１乃至図９を参照して本実施形態のパチンコ機１の全体構成について説明する。図１は本発明の一実施形態であるパチンコ機の正面図である。図２はパチンコ機の右側面図であり、図３はパチンコ機の平面図であり、図４はパチンコ機の背面図である。図５はパチンコ機を前から見た斜視図であり、図６はパチンコ機を後ろから見た斜視図である。図７は本体枠から扉枠を開放させると共に、外枠から本体枠を開放させた状態で前から見たパチンコ機の斜視図である。図８はパチンコ機を扉枠、遊技盤、本体枠、及び外枠に分解して前から見た分解斜視図であり、図９はパチンコ機を扉枠、遊技盤、本体枠、及び外枠に分解して後ろから見た分解斜視図である。
【００４０】
本実施形態のパチンコ機１は、遊技ホールの島設備（図示しない）に設置される枠状の外枠２と、外枠２の前面を開閉可能に閉鎖する扉枠３と、扉枠３を開閉可能に支持していると共に外枠２に開閉可能に取付けられている本体枠４と、本体枠４に前側から着脱可能に取付けられると共に扉枠３を通して遊技者側から視認可能とされ遊技者によって遊技球が打込まれる遊技領域５ａを有した遊技盤５と、を備えている。
【００４１】
パチンコ機１の外枠２は、図８及び図９等に示すように、上下に離間しており左右に延びている上枠部材１０及び下枠部材２０と、上枠部材１０及び下枠部材２０の両端同士を連結しており上下に延びている左枠部材３０及び右枠部材４０と、を備えている。上枠部材１０、下枠部材２０、左枠部材３０、及び右枠部材４０は、前後の幅が同じ幅に形成されている。また、上枠部材１０及び下枠部材２０の左右の長さに対して、左枠部材３０及び右枠部材４０の上下の長さが、長く形成されている。
【００４２】
また、外枠２は、左枠部材３０及び右枠部材４０の下端同士を連結し下枠部材２０の前側に取付けられる幕板部材５０と、上枠部材１０の正面視左端部側に取付けられている外枠側上ヒンジ部材６０と、幕板部材５０の正面視左端側上部と左枠部材３０とに取付けられている外枠側下ヒンジ部材７０と、を備えている。外枠２の外枠側上ヒンジ部材６０と外枠側下ヒンジ部材７０とによって、本体枠４及び扉枠３が開閉可能に取付けられている。
【００４３】
パチンコ機１の扉枠３は、正面視の外形が四角形で前後に貫通している貫通口１１１を有した枠状の扉枠ベースユニット１００と、扉枠ベースユニット１００の前面下部に取付けられ遊技球を貯留可能な上皿２０１及び下皿２０２を有した皿ユニット２００と、扉枠ベースユニット１００の前面上部に取付けられるトップユニット３５０と、扉枠ベースユニット１００の前面左部に取付けられる左サイドユニット４００と、扉枠ベースユニット１００の前面右部に取付けられる右サイドユニット４５０と、扉枠ベースユニット１００の前面右下部に皿ユニット２００を貫通して取付けられ上皿２０１に貯留された遊技球を遊技盤５の遊技領域内へ打込むために遊技者が操作可能なハンドルユニット５００と、扉枠ベースユニット１００の後面下部に取付けられ遊技領域内へ打ち損じた遊技球を受けて皿ユニット２００の下皿２０２へ排出するファールカバーユニット５２０と、扉枠ベースユニット１００の後面下部に取付けられ上皿２０１の遊技球を球発射装置６８０へ送るための球送りユニット５４０と、扉枠ベースユニット１００の後面に取付けられ貫通口１１１を閉鎖するガラスユニット５６０と、ガラスユニット５６０の後面下部を覆う防犯カバー５８０と、を備えている。
【００４４】
パチンコ機１の本体枠４は、一部が外枠２の枠内に挿入可能とされると共に遊技盤５の外周を支持可能とされた枠状の本体枠ベース６００と、本体枠ベース６００の正面視左側の上下両端に取付けられ外枠２の外枠側上ヒンジ部材６０及び外枠側下ヒンジ部材７０に夫々回転可能に取付けられると共に扉枠３の扉枠側上ヒンジ部材１４０及び扉枠側下ヒンジ部材１５０が夫々回転可能に取付けられる本体枠側上ヒンジ部材６２０及び本体枠側下ヒンジ部材６４０と、本体枠ベース６００の正面視左側面に取付けられる補強フレーム６６０と、本体枠ベース６００の前面下部に取付けられており遊技盤５の遊技領域５ａ内に遊技球を打込むための球発射装置６８０と、本体枠ベースの正面視右側面に取付けられており外枠２と本体枠４、及び扉枠３と本体枠４の間を施錠する施錠ユニット７００と、本体枠ベース６００の正面視上辺及び左辺に沿って後側に取付けられており遊技者側へ遊技球を払出す逆Ｌ字状の払出ユニット８００と、本体枠ベース６００の後面下部に取付けられている基板ユニット９００と、本体枠ベース６００の後側に開閉可能に取付けられ本体枠ベース６００に取付けられた遊技盤５の後側を覆う裏カバー９８０と、を備えている。
【００４５】
本体枠４の払出ユニット８００は、本体枠ベース６００の後側に取付けられる逆Ｌ字状の払出ユニットベース８０１と、払出ユニットベース８０１の上部に取付けられており上方へ開放された左右に延びた箱状で図示しない島設備から供給される遊技球を貯留する球タンク８０２と、球タンク８０２の下側で払出ユニットベース８０１に取付けられており球タンク８０２内の遊技球を正面視左方向へ誘導する左右に延びたタンクレール８０３と、払出ユニットベース８０１における正面視左側上部の後面に取付けられタンクレール８０３からの遊技球を蛇行状に下方へ誘導する球誘導ユニット８２０と、球誘導ユニット８２０の下側で払出ユニットベース８０１から着脱可能に取付けられており球誘導ユニット８２０により誘導された遊技球を払出制御基板ボックス９５０に収容された払出制御基板からの指示に基づいて一つずつ払出す払出装置８３０と、払出ユニットベース８０１の後面に取付けられ払出装置８３０によって払出された遊技球を下方へ誘導すると共に皿ユニット２００における上皿２０１での遊技球の貯留状態に応じて遊技球を通常放出口又は満タン放出口の何れかから放出させる上部満タン球経路ユニット８５０と、払出ユニットベース８０１の下端に取付けられ上部満タン球経路ユニット８５０の通常放出口から放出された遊技球を前方へ誘導して前端から扉枠３の貫通球通路５２６へ誘導する通常誘導路及び満タン放出口から放出された遊技球を前方へ誘導して前端から扉枠３の満タン球受口５３０へ誘導する満タン誘導路を有した下部満タン球経路ユニット８６０と、を備えている。
【００４６】
本体枠４の基板ユニット９００は、本体枠ベース６００の後側に取付けられる基板ユニットベース９１０と、基板ユニットベース９１０の正面視左側で本体枠ベース６００の後側に取付けられ内部に低音スピーカを有したスピーカユニット９２０と、基板ユニットベース９１０の後側で正面視右側に取付けられ内部に電源基板が収容されている電源基板ボックス９３０と、スピーカユニット９２０の後側に取付けられており内部にインターフェイス制御基板が収容されているインターフェイス制御基板ボックス９４０と、電源基板ボックス９３０及びインターフェイス制御基板ボックス９４０に跨って取付けられており内部に遊技球の払出しを制御する払出制御基板が収容された払出制御基板ボックス９５０と、を備えている。
【００４７】
パチンコ機１の遊技盤５は、図８及び図９等に示すように、遊技球が打込まれる遊技領域５ａの外周を区画し球発射装置６８０から発射された遊技球を遊技領域５ａの上部に案内する外レール１００１及び内レール１００２を有した前構成部材１０００と、前構成部材１０００の後側に取付けられると共に遊技領域５ａの後端を区画する平板状の遊技パネル１１００と、遊技パネル１１００の後側の下部に取付けられており上方に開放された箱状の基板ホルダ１２００と、基板ホルダ１２００の後側に取付けられておりパチンコ機１の遊技を制御するための主制御基板を内部に収容した主制御基板ボックス１３００と、遊技パネル１１００の前側で遊技領域５ａ内に取付けられ遊技領域５ａ内に打込まれた遊技球を受入可能な複数の入賞口を有した表ユニット２０００と、基板ボックス１２００の上側で遊技パネル１１００の後側に取付けられ遊技パネル１１００を通して遊技者側から視認可能な中央液晶表示装置１５００と、中央液晶表示装置１５００を遊技パネル１１００の後側に取付けている裏ユニット３０００と、を備えている。
【００４８】
本実施形態のパチンコ機１は、上皿２０１に遊技球を貯留した状態で、遊技者がハンドルレバー５０４を回転操作すると、球発射装置６８０によってハンドルレバー５０４の回転角度に応じた強さで遊技球が遊技盤５の遊技領域５ａ内へ打込まれる。そして、遊技領域５ａ内に打込まれた遊技球が、図示しない入賞口に受入れられると、受入れられた入賞口に応じて、所定数の遊技球が払出装置８３０によって上皿２０１に払出される。この遊技球の払出しによって遊技者の興趣を高めることができるため、上皿２０１内の遊技球を遊技領域５ａ内へ打込ませることができ、遊技者に遊技を楽しませることができる。
【００４９】
［２．扉枠の全体構成］
パチンコ機１の扉枠３について、図１０乃至図１６を参照して説明する。図１０はパチンコ機における扉枠の正面図であり、図１１は扉枠の背面図である。図１２は扉枠を右前から見た斜視図であり、図１３は扉枠を左前から見た斜視図であり、図１４は扉枠を後ろから見た斜視図である。図１５は扉枠を主な部材毎に分解して前から見た分解斜視図であり、図１６は扉枠を主な部材毎に分解して後ろから見た分解斜視図である。
【００５０】
扉枠３は、正面視の外形が四角形で枠状の扉枠ベースユニット１００と、扉枠ベースユニット１００の前面下部に取付けられる皿ユニット２００と、扉枠ベースユニット１００の前面上部に取付けられるトップユニット３５０と、扉枠ベースユニット１００の前面左部に取付けられる左サイドユニット４００と、扉枠ベースユニット１００の前面右部に取付けられる右サイドユニット４５０と、扉枠ベースユニット１００の前面右下部に皿ユニット２００を貫通して取付けられるハンドルユニット５００と、を備えている。
【００５１】
また、扉枠３は、扉枠ベースユニット１００の後面下部に取付けられるファールカバーユニット５２０と、扉枠ベースユニット１００の後面下部に取付けられる球送りユニット５４０と、扉枠ベースユニット１００の後面に取付けられ貫通口１１１を閉鎖するガラスユニット５６０と、ガラスユニット５６０の後面下部を覆う防犯カバー５８０と、を備えている。
【００５２】
扉枠３の扉枠ベースユニット１００は、図１５及び図１６に等に示すように、外形が縦長の長方形で前後に貫通している貫通口１１１を有した板状の扉枠ベース１１０と、扉枠ベース１１０の前面で正面視右下隅に取付けられておりハンドルユニット５００を取付けるための筒状のハンドル取付部材１２０と、扉枠ベース１１０の後側に取付けられている枠状の補強ユニット１３０と、補強ユニット１３０の正面視左端側の上下両端に取付けられており前方へ突出して本体枠４の本体枠側上ヒンジ部材６２０及び本体枠側下ヒンジ部材６４０に回転可能に取付けられる扉枠側上ヒンジ部材１４０及び扉枠側下ヒンジ部材１５０と、扉枠ベース１１０の後側に回動可能に取付けられておりガラスユニット５６０を着脱可能に取付けるためのガラスユニット取付部材１６０と、を備えている。
【００５３】
扉枠３の皿ユニット２００は、詳細は後述するが、上下に列設されており前方へ膨出しており遊技球を貯留可能な上皿２０１及び下皿２０２と、上皿２０１及び下皿２０２が取付けられていると共に扉枠ベースユニット１００の前面に取付けられる板状の皿ユニットベース２１０と、上皿２０１の前側で皿ユニットベース２１０に取付けられ画像を表示可能な上皿液晶表示装置２４４、遊技者が操作可能なタッチパネル２４６及び上皿演出ボタン２５７を有している演出操作ユニット２２０と、上皿２０１及び下皿２０２を前側から覆う皿ユニットカバー２６０と、正面視上皿２０１の右側に配置されており遊技状態に応じて回転する扉右下回転体２７０Ａを有している扉右下演出ユニット２７０と、扉右下演出ユニット２７０を前側から覆う透明な演出ユニットカバー３００と、上皿２０１に貯留されている遊技球を下皿２０２へ抜くための上皿球抜きユニット３１０と、下皿２０２に貯留されている遊技球を下方へ抜くための下皿球抜きユニット３２０と、遊技ホールの島設備においてパチンコ機１と隣接して配置される球貸機（図示は省略する。ＣＲユニットとも称す）を操作するための球貸操作ユニット３３０と、皿ユニットベース２１０の上部に取付けられており発光装飾可能な上皿トップ装飾部材３４０と、を主に備えている。
【００５４】
扉枠３のトップユニット３５０は、図１５及び図１６等に示すように、扉枠ベースユニット１００の前面において上辺に沿って取付けられる一部が透光性を有したユニットベース３６０と、ユニットベース３６０の前面で左右の中央に取付けられており前方へ膨出している透光性を有したトップ装飾部材３７０と、トップ装飾部材３７０内に取付けられており高音域のサウンドを出力するトップスピーカ（図示は省略）と、ユニットベース３６０の後側に取付けられており前面に複数のＬＥＤが取付けられている扉枠上装飾基板３８０と、を備えている。
【００５５】
扉枠３の左サイドユニット４００は、図１５及び図１６等に示すように、扉枠ベースユニット１００の前面で貫通口１１１の左側外周縁に沿って取付けられる平板状のユニットベース４１０と、ユニットベース４１０の前面に取付けられており上端がトップユニット３５０のトップ装飾部材３７０の左端まで延びている透光性を有した左サイド装飾部材４２０と、左サイド装飾部材４２０の前側で正面視扉枠３の左上隅となる位置に取付けられており左スピーカ（図示は省略）を有した左スピーカユニット４３０と、ユニットベース４１０の後側に取付けられており前面に複数のＬＥＤが取付けられた扉枠左装飾基板４４０と、を備えている。
【００５６】
扉枠３の右サイドユニット４５０は、図１５及び図１６等に示すように、扉枠ベースユニット１００の前面で貫通口１１１の右側外周縁に沿って取付けられる平板状のユニットベース４６０と、ユニットベース４６０の前側に取付けられており上端がトップユニット３５０のトップ装飾部材３７０の右端まで延びている透光性を有した右サイド装飾部材４７０と、右サイド装飾部材４７０の前面で正面視扉枠３の右上隅となる位置に取付けられており右スピーカ（図示は省略）を有した右スピーカユニット４８０と、ユニットベース４６０と右サイド装飾部材４７０との間に取付けられており前面に複数のＬＥＤが取付けられた扉枠右装飾基板（図示は省略）と、を備えている。
【００５７】
扉枠３のハンドルユニット５００は、図１５及び図１６等に示すように、扉枠ベースユニット１００のハンドル取付部材１２０に取付けられるハンドル本体５０２と、ハンドル本体５０２に回動可能に取付けられており遊技者が回動操作可能なハンドルレバー５０４と、ハンドルレバー５０４の前側からハンドル本体５０２に取付けられておりハンドル本体５０２と協働してハンドルレバー５０４を回動可能に支持しているハンドルカバー５０６と、を備えている。また、ハンドルユニット５００は、図示は省略するが、ハンドル本体５０２内に取付けられておりハンドルレバー５０４の回転角度を検知するハンドル操作センサと、ハンドル本体５０２に取付けられており遊技者が操作可能なストップボタンと、ハンドル本体５０２内に取付けられており遊技者とハンドルレバー５０４との接触を検知する接触検知センサと、を備えている。
【００５８】
扉枠３のファールカバーユニット５２０は、図１５及び図１６等に示すように、扉枠ベースユニット１００の後側に取付けられ前側が開放された浅い箱状のユニット本体５２２と、ユニット本体５２２の前面に取付けられている平板状の蓋部材５２４と、を主に備えている。ファールカバーユニット５２０は、正面視左上隅において前後に貫通しており本体枠４の下部満タン球経路ユニット８６０の通常誘導路と皿ユニット２００の上皿球供給口２１０ａとを連通させる貫通球通路５２６と、貫通球通路５２６の正面視右側で後方へ向かって開口しており本体枠４の下部満タン球経路ユニット８６０の満タン誘導路と連通可能な満タン球受口５２８と、満タン球受口５２８の正面視右側で上方へ向かって開口しており本体枠４の球発射装置６８０により発射されにも関わらず遊技領域５ａ内へ到達しなかった遊技球（ファール球）を受けるファール球受口５３０と、正面視右下隅で前方へ向かって開口しており満タン球受口５２８及びファール球受口５３０に受入れられた遊技球を放出すると共に皿ユニット２００の下皿球供給口２１０ｃと連通する球放出口５３２と、を備えている。
【００５９】
扉枠３の球送りユニット５４０は、図１５及び図１６等に示すように、左右に延びており後側が開放された箱状のユニット本体５４２と、ユニット本体５４２の後側に取付けられており前側が開放された箱状でファールカバーユニット５２０の正面視右側で扉枠ベースユニット１００の後側に着脱可能に取付けられるユニットカバー５４４と、前方へ向かって開口しており皿ユニット２００の上皿２０１に貯留されている遊技球が進入する球進入口５４６と、球進入口５４６に進入した遊技球を放出可能とされており後方へ向かって開口している球放出口５４８と、球進入口５４６に進入した遊技球を排出可能とされており球進入口５４６の下側で前方へ向かって開口している球排出口５５０と、を備えている。また、球送りユニット５４０は、図示は省略するが、球進入口５４６から進入した遊技球を一つずつ球放出口５４８から放出させるための球送りソレノイドと、球進入口５４６から進入した遊技球を球放出口５４８側又は球排出口５５０側の何れかに切換える切換機構と、を備えている。
【００６０】
扉枠３のガラスユニット５６０は、図１５及び図１６等に示すように、扉枠ベースユニット１００の貫通口１１１よりも大きい枠状のユニット枠５６２と、ユニット枠５６２の前後両側に取付けられておりユニット枠５６２の枠内を閉鎖する一対のガラス板５６４と、を備えている。
【００６１】
［２−１．皿ユニットの全体構成］
扉枠３の皿ユニット２００について、図１７乃至図３３を参照して詳細に説明する。図１７は扉枠の皿ユニットを前から見た斜視図であり、図１８は皿ユニットを後ろから見た斜視図である。図１９は皿ユニットを主な部材毎に分解して前から見た分解斜視図であり、図２０は皿ユニットを主な部材毎に分解して後ろから見た分解斜視図である。図２１は皿ユニットの演出操作ユニットを前から見た斜視図であり、図２２は演出操作ユニットを後ろから見た斜視図である。図２３は演出操作ユニットを主な部材毎に分解して上から見た斜視図であり、図２４は演出操作ユニットを主な部材毎に分解して下から見た分解斜視図である。図２５は演出操作ユニットの取付ベースユニットを分解して上から見た分解斜視図であり、図２６は取付ベースユニットを分解して下から見た分解斜視図である。
【００６２】
また、図２７は演出操作ユニットのタッチユニットを分解して上から見た分解斜視図であり、図２８はタッチユニットを分解して下から見た分解斜視図である。図２９は演出操作ユニットのボタンユニットを分解して上から見た分解斜視図であり、図３０はボタンユニットを分解して下から見た分解斜視図である。図３１は皿ユニットの平面図であり、図３２は図３１におけるＡーＡ断面において演出操作ユニットの部位を拡大して示す断面図であり、図３３は図３１におけるＢ−Ｂ断面において演出操作ユニットの部位を拡大して示す断面図である。
【００６３】
更に、図３４（ａ）は皿ユニットの扉右下演出ユニットの正面図であり、（ｂ）は扉右下演出ユニットの右側面図であり、図３５は扉右下演出ユニットを前から見た斜視図であり、図３６は扉右下演出ユニットを後ろから見た斜視図である。図３７は、図３４（ｂ）の扉右下演出ユニットにおけるＣ−Ｃ断面図である。図３８は扉右下演出ユニットを分解して前から見た分解斜視図であり、図３９は扉右下演出ユニットを分解して後ろから見た分解斜視図である。図４０は扉右下演出ユニットの回転体内部ユニットを分解して前から見た分解斜視図であり、図４１は回転体内部ユニットを分解して後ろから見た分解斜視図である。図４２（ａ）は扉右下演出ユニットの扉右下回転体が前を向いた状態の正面図であり、（ｂ）は扉右下回転体が後ろを向いた状態の正面図である。
【００６４】
また、図４３（ａ）は皿ユニットの上皿球抜きユニットを皿ユニットベースに取付けた状態で前から見た斜視図であり、（ｂ）は上皿球抜きユニットを皿ユニットベースに取付けた状態で後ろから見た斜視図である。図４４は上皿球抜きユニットを分解して前から見た分解斜視図であり、図４５は上皿球抜きユニットを分解して後ろから見た分解斜視図である。また、図４６（ａ）は皿ユニットの下皿球抜きユニットを前から見た斜視図であり、（ｂ）下皿球抜きユニットを分解して前から見た分解斜視図である。
【００６５】
皿ユニット２００は、扉枠ベースユニット１００から前方へ膨出している。この皿ユニット２００は、払出装置８３０から払出され遊技領域５ａ内に打込むための遊技球を貯留する上皿２０１と、上皿２０１の下側に配置されており上皿２０１から供給される遊技球を貯留可能な下皿２０２と、を備えている。また、皿ユニット２００は、扉枠ベースユニット１００に取付けられる平板状の皿ユニットベース２１０と、皿ユニットベース２１０の前面上部に取付けられると共に左右中央より左側が前方へ大きく膨出しており上皿２０１を形成している上皿本体２１２と、皿ユニットベース２１０の前面下部で左右中央に取付けられると共に前方へ大きく膨出しており下皿２０２を形成している下皿本体２１４と、を備えている。
【００６６】
また、皿ユニット２００は、上皿本体２１２の前側及び皿ユニットベース２１０の前面に取付けられる演出操作ユニット２２０と、上皿本体２１２、下皿本体２１４、及び演出操作ユニットの前側及び下側を覆い皿ユニットベース２１０の前面に取付けられる皿ユニットカバー２６０と、演出操作ユニット２２０の右側に配置されており皿ユニットベース２１０の前面右部に取付けられる扉右下演出ユニット２７０と、扉右下演出ユニット２７０の前側を覆い皿ユニットベース２１０の前面に取付けられる演出ユニットカバー３００と、皿ユニットベース２１０を前後から挟むように取付けられており上皿本体２１２の上皿２０１内に貯留されている遊技球を下皿２０２へ抜き取るための上皿球抜きユニット３１０と、下皿本体２１４の下側に取付けられており下皿２０２に貯留されている遊技球を下方へ排出するための下皿球抜きユニット３２０と、を備えている。
【００６７】
更に、皿ユニット２００は、演出操作ユニット２２０の上面に取付けられており遊技ホールの島設備においてパチンコ機１と隣接して配置される球貸機を操作するための球貸操作ユニット３３０と、皿ユニットベース２１０の上部に取付けられており発光装飾可能な上皿トップ装飾部材３４０と、皿ユニットカバー２６０の後側で皿ユニットベース２１０の前面左側に取付けられており前方へ向かって光を照射可能な複数のＬＥＤを備えている皿ユニット左装飾基板３４５と、演出ユニットカバー３００の後側且つ扉右下演出ユニット２７０の下側で皿ユニットベース２１０の前面右側に取付けられており前方へ向かって光を照射可能な複数のＬＥＤを備えている皿ユニット右装飾基板３４６と、皿ユニットベース２１０の後側に取付けられており後述する上皿前装飾基板２３３、上皿後装飾基板２３５、上皿液晶基板２４１、加振装置２４２、タッチパネル２４６、演出ボタン装飾基板２５１、演出ボタン押圧センサ２５８、扉右下中継基板２８１、皿ユニット左装飾基板３４５、及び皿ユニット右装飾基板３４６と遊技盤５の図示しない周辺制御基板との接続を中継する皿ユニット中継基板３４７と、を備えている。
【００６８】
［２−１ａ．皿ユニットベース］
皿ユニット２００の皿ユニットベース２１０は、図１９及び図２０に示すように、扉枠ベースユニット１００の全幅に亘って左右に長く延びている。皿ユニットベース２１０は、正面視左上隅付近で前後に貫通していると共に後方へ筒状に延びている上皿球供給口２１０ａと、上皿球供給口２１０ａの下側で前後に貫通していると共に上下に延びている複数の長穴からなるスピーカスリット２１０ｂと、正面視左右中央の下部において前後に貫通していると共に後方へ筒状に延びている下皿球供給口２１０ｃと、下皿球供給口２１０ｃの正面視右上側で前後に貫通していると共に上下に延びており上部が上皿本体２１２の右端に位置する上皿球送り口２１０ｄと、を備えている。
【００６９】
また、皿ユニットベース２１０は、上皿球送り口２１０ｄの正面視左側で前後に貫通している内周が四角形の透口２１０ｅと、透口２１０ｅの下辺から前方へ板状に突出している受片２１０ｆと、上皿球送り口２１０ｄの正面視右上側で前後に貫通している逃し口２１０ｇと、正面視右下隅で前後に貫通しており扉枠ベースユニット１００のハンドル取付部材１２０が挿通されるハンドル挿通口２１０ｈと、正面視右隅付近で前後に貫通しており施錠ユニット７００の鍵シリンダ７１０が挿通されるシリンダ挿通口２１０ｉと、筒状の下皿球供給口２１０ｃの正面視右側の側面において後端から前方へ向かって切欠かれている切欠部２１０ｊと、を備えている。
【００７０】
［２−１ｂ．上皿本体］
皿ユニット２００の上皿本体２１２は、図１９及び図２０に示すように、正面視左右の中央より左側の方が大きく前方へ膨出しており、上方及び後方へ開放された容器状に形成されている。上皿本体２１２は、正面視右端側に左方及び後方へのみ開放されており遊技球が流通可能な誘導通路部２１２ａを備えている。この上皿本体２１２は、底面が全体的に右端が低くなるように傾斜している。詳述すると、上皿本体２１２を皿ユニットベース２１０に取付けた状態で、上皿本体２１２の底面が、上皿球供給口２１０ａの下側の位置から上皿球送り口２１０ｄの上端から遊技球の外径よりも若干下側の位置へ向かって低くなるように傾斜している。これにより、上皿球供給口２１０ａから前方へ放出された遊技球を、上皿本体２１２内に受けて貯留することができると共に、受けた遊技球を誘導通路部２１２ａの右端側から上皿球送り口２１０ｄへ供給することができる。
【００７１】
また、上皿本体２１２は、底面の後端側で左右の中央から右端付近まで延びている金属製のアース金具２１２ｂを備えている。このアース金具２１２ｂは、図示は省略するが、電気的に接地（アース）されており、遊技球が接触することで、遊技球に帯電した静電気を除去することができる。
【００７２】
［２−１ｃ．下皿本体］
皿ユニット２００の下皿本体２１４は、図１９及び図２０に示すように、前端辺に対して後端辺が長い平面視台形で、上方及び後方が開放された容器状に形成されている。下皿本体２１４は、底面に上下に貫通しており下皿球抜きユニット３２０によって閉鎖可能とされている球抜き孔２１４ａを備えており、球抜き孔２１４ａへ向かって低くなるように底面が傾斜している。この下皿本体２１４は、皿ユニットベース２１０の下皿球供給口２１０ｃから前方へ放出された遊技球を受けて貯留することができると共に、球抜き孔２１４ａから遊技球を皿ユニット２００の下方へ排出することができる。
【００７３】
［２−１ｄ．演出操作ユニットの全体構成］
皿ユニット２００の演出操作ユニット２２０は、図２１乃至図２４に示すように、正面視左右の中央で皿ユニットベース２１０及び上皿本体２１２に取付けられる取付ベースユニット２２０Ａと、取付ベースユニット２２０Ａに取付けられるタッチユニット２２０Ｂと、タッチユニット２２０Ｂの正面視左側で取付ベースユニット２２０Ａに取付けられるボタンユニット２２０Ｃと、タッチユニット２２０Ｂと取付ベースユニット２２０Ａとの間に介装される円筒状の複数のダンパ２２２と、タッチユニット２２０Ｂ及びボタンユニット２２０Ｃの外周を上側から覆うように取付ベースユニット２２０Ａに取付けられるユニットカバー２２４と、取付ベースユニット２２０Ａの正面視右端に取付けられる装飾部材２２６と、を備えている。
【００７４】
演出操作ユニット２２０のダンパ２２２は、円筒状に形成されており、外周面における軸方向の中央に溝２２２ａが全周に亘って形成されている。本実施形態におけるダンパ２２２は、合成ゴムによって形成されている。複数のダンパ２２２によって、タッチユニット２２０Ｂが叩かれた時の衝撃を緩和させて取付ベースユニット２２０や皿ユニットベース２１０側へ作用する負荷（衝撃）を低減させることができると共に、タッチユニット２２０Ｂの後述する加振装置２４２による振動が、取付ベースユニット２２０や皿ユニットベース２１０側へ伝達されるのを低減させることができる。
【００７５】
［２−１ｄ−１．取付ベースユニット］
演出操作ユニット２２０の取付ベースユニット２２０Ａは、図２３乃至図２６に示すように、皿ユニットベース２１０の前面に取付けられ上方が開放された浅い箱状の取付ベース２３０と、取付ベース２３０の上側に取付けられると共に後端が上皿本体２１２の前端に取付けられ上側からタッチユニット２００Ｂを収容可能な上方が開放された浅い箱状のユニットケース２３１と、ユニットケース２３１の前端に取付けられる横長の上皿前レンズ部材２３２と、上皿前レンズ部材２３２とユニットケース２３１との間に配置され前面に複数のＬＥＤを備えた上皿前装飾基板２３３と、上皿前レンズ部材２３２の前側を覆いユニットカバー２２４に取付けられる透光性を有した上皿前装飾部材２３４と、を備えている。
【００７６】
また、取付ベースユニット２２０Ａは、ユニットケース２３１の後端に取付けられており上方へ向かって光を照射可能な複数のＬＥＤを備えた上皿後装飾基板２３５と、上皿後装飾基板２３５の上側に配置されユニットカバー２２４に取付けられる透光性を有した上皿後装飾部材２３６と、上皿後装飾部材２３６の前側においてユニットカバー２２４とユニットケース２３１とによって挟持され上皿後装飾基板２３５からの光を導いて上端が線状に発光可能な線状発光レンズ部材２３７と、上皿後装飾部材２３６の正面視右側でユニットカバー２２４に取付けられる筒状のボタン取付部材２３８と、ボタン取付部材２３８によって上下にスライド可能に取付けられる上皿球抜きボタン２３９と、を備えている。
【００７７】
取付ベース２３０は、前後の略中央から前側に、前方へ向かうに従って低くなるように傾斜している平板状の取付側受部２３０ａと、取付側受部２３０ａを貫通しており左右に離間した二つの貫通口２３０ｂと、貫通口２３０ｂの周縁から下方へ延出している筒状の筒状受部２３０ｃと、を備えている。貫通口２３０ｂは、内周が四角形に形成されている。筒状受部２３０ｃは、下方へ向かうに従って窄まるように角錐筒状に形成されている（図３３を参照）。詳述すると、筒状受部２３０ｃは、前側の内周壁が取付側受部２３０ａの面に対して略垂直に延びており、後側の内周壁が取付側受部２３０ａの面に対して下方へ向かうに従って前方へ向かうように傾斜して延びている。また、筒状受部２３０ｃは、左右両側の内周壁が取付側受部２３０ａの面の垂直に対して下端（先端）同士が僅かに接近するように傾斜して延びている。
【００７８】
ユニットケース２３１は、上方へ開放されておりタッチユニット２２０Ｂを収容可能な収容凹部２３１ａと、収容凹部２３１ａの底面の正面視左右両端付近から夫々前後に離間して一対ずつ上方へ円柱状に突出している横支持ピン２３１ｂと、収容凹部２３１ａの底面の前端付近から左右に離間して上方へ円柱状に突出している一対の前支持ピン２３１ｃと、収容凹部２３１ａにおいて底面の前後端側の左右中央から上方へ突出している中央支持突起２３１ｄと、収容凹部２３１ａの底面の下側から下方へ向かうに従って窄まるように角錐状に突出しており左右に離間した二つの受突部２３１ｅと、を備えている。
【００７９】
また、ユニットケース２３１は、収容凹部２３１ａよりも正面視左側で上下に円形に貫通しておりボタンユニット２２０Ｃの下部が挿通される挿通孔２３１ｆと、上面における挿通孔２３１ｆの周りに配置されておりボタンユニット２２０Ｃを取付けるためのボタンユニット取付部２３１ｇと、収容凹部２３１ａの後側の外周壁において左右に延びていると共に上端から下方へ窪み線状発光レンズ部材２３７の線状発光部２３７ｂが配置される切欠部２３１ｈと、を備えている。
【００８０】
ユニットケース２３１の収容凹部２３１ａは、平面視の形状が、左右に延びた四角形と、その四角形の左右両辺から外側へ突出した台形とを組合せた形状に形成されている。また、収容凹部２３１ａは、左右両側の台形の部位の底面に対して、四角形の部位の底面が、下方へ低く形成されている。この収容凹部２３１ａの底面の段差は、ダンパ２２２の高さ（軸方向の長さ）よりも若干低く形成されている。
【００８１】
四つの横支持ピン２３１ｂは、収容凹部２３１ａにおける台形の部位の底面から上方へ突出しており、筒状のダンパ２２２内へ挿入可能に形成されている。また、横支持ピン２３１ｂは、上端側に、上端側へ向かうに従って直径が小さくなる円錐台状のテーパ部２３１ｉを備えている（図３２を参照）。横支持ピン２３１ｂは、収容凹部２３１ａの底面からテーパ部２３１ｉの中間までの距離が、ダンパ２２２の長さと同じとされており、全体がダンパ２２２よりも長く形成されている。一対の前支持ピン２３１ｃは、筒状のダンパ２２２内へ挿入可能とされており、ダンパ２２２の半分の長さよりも若干長く形成されている。
【００８２】
中央支持突起２３１ｄの上端は、収容凹部２３１ａにおける台形の部位の底面と同じ高さまで突出している。受突部２３１ｅは、外周が四角形の円錐台状に形成されている。二つの受突部２３１ｅは、取付ベース２３０の二つの貫通口２３０ｂと対応した位置に形成されている。受突部２３１ｅは、前側の外周壁が収容凹部２３１ａの底面に対して略垂直に延びており、後側の外周壁が収容凹部２３１ａの底面に対して下方へ向かうに従って前方へ向かうように傾斜して延びている。また、受突部２３１ｅは、左右両側の外周壁が収容凹部２３１ａの面の垂直に対して下端（先端）同士が僅かに接近するように傾斜して延びている。受突部２３１ｅの外周壁の形状は、取付ベース２３０の筒状受部２３０ｃの内周壁の形状と対応している。この受突部２３１ｅは、組立てた状態で、下端が取付ベース２３１の貫通口２３０ａ内に挿入されると共に、筒状受部２３０ｃの内周壁との間に僅かな隙間が形成される。
【００８３】
上皿前装飾部材２３４は、皿ユニット２００が組立てられた状態で、前面が外部に露出する。上皿後装飾基板２３５は、上皿後装飾部材２３６を発光装飾させるための複数の装飾用ＬＥＤ２３５ａと、線状発光レンズ部材２３７を発光装飾させるための複数の周縁用ＬＥＤ２３５ｂと、を備えている。
【００８４】
線状発光レンズ部材２３７は、上皿後装飾部材２３６よりも左右が長く形成されており、上皿後装飾基板２３５の複数の周縁用ＬＥＤ２３５ｂの上側に配置される受光部２３７ａと、受光部２３７ａと連続しユニットケース２３１の切欠部２３１ｈに嵌め込まれる平板状の線状発光部２３７ｂと、を備えている。線状発光レンズ部材２３７は、線状発光部２３７ｂをユニットケース２３１の切欠部２３１ｈに嵌め込むことで、線状発光部２３７ａの前面が収容凹部２３１ａの内周壁の一部を形成する。また、線状発光レンズ部材２３７は、皿ユニット２００が組立てられた状態で、線状発光部２３７ｂの上端が外部に露出する。この線状発光レンズ部材２３７は、周縁用ＬＥＤ２３５ｂからの光を受光部２３７ａで受光することができ、受光部２３７ａで受光した光を線状発光部２３７ｂへ導光して線状発光部２３７ｂの上端全体を（線状に）発光させることができる。
【００８５】
上皿球抜きボタン２３９は、ボタン取付部材２３８によって上下にスライド可能に取付けられ、ボタン取付部材２３８よりも下方へ延出している延出片２３９ａを備えている。この上皿球抜きボタン２３９を下方へ押圧することで、上皿球抜きユニット３１０を動作させて上皿２０１内に貯留されている遊技球を、上皿２０１から下皿２０２へ排出する（抜く）ことができる。
【００８６】
取付ベースユニット２２０Ａは、四つの横支持ピン２３１ｂと二つの前支持ピン２３１ｃに夫々挿入されたダンパ２２２によって、タッチユニット２２０Ｂを弾性的に支持することができる。また、タッチユニット２２０Ｂが取付けられるユニットケース２３１の下方へ突出している二つの受突部２３１ｅの外周面と、ユニットケース２３１の下側で受突部２３１ｅの下端が挿入されている取付ベース２３０の筒状受部の内周面との間に僅かな隙間を形成している。これにより、タッチユニット２２０Ｂ側からユニットケース２３１が下方へ移動するような力（衝撃）が作用した時に、その力が直ちに取付ベース２３０の取付側受部２３０ａに伝達されず、ユニットケース２３１の収容凹部２３１ａの底面が下方へある程度撓んで受突部２３１ｅの下端の外周面が筒状受部２３０ｃの内周面に当接することで、取付ベース２３０側へ力が伝達される。つまり、ユニットケース２３１から取付ベース２３０へ力を伝達させる際に、ユニットケース２３１が撓むため、その撓みによって力をある程度減衰させて取付ベース２３０へ伝達させることができる。
【００８７】
また、ユニットケース２３１の受突部２３１ｅ及び取付ベース２３０の筒状受部２３０ｃは、それらが形成されている面（タッチユニット２２０Ｂの上面と平行な面）に対して傾斜した外周面及び内周面を備えているため、受突部２３１ｅから筒状受部２３０ｃへ伝達される力の一部が、筒状受部２３０ｃが備えられている取付側受部２３０ａの底面に沿った方向へ作用する。これにより、受突部２３１ｅ（ユニットケース２３１）側からの力が分散し、取付ベース２３０に対して一方向へ大きな力が作用するのを回避させることができ、取付ベース２３０が破損し難くなる。
【００８８】
［２−１ｄ−２．タッチユニット］
演出操作ユニット２２０のタッチユニット２２０Ｂは、図２７及び図２８に示すように、上方が開放された浅い箱状の下ケース２４０と、下ケース２４０内に上側から取付けられる上皿液晶基板２４１と、下ケース２４０内において上皿液晶基板２４１の左右両外側に配置される一対の加振装置２４２と、一対の加振装置２４２及び上皿液晶基板２４１の上側を覆うと共に下ケース２４０に取付けられ上方が開放された浅い箱状のベース部材２４３と、ベース部材２４３内に上側から挿入され上皿液晶基板２４１によって制御され画像を表示可能な上皿液晶表示装置２４４と、上皿液晶表示装置２４４の外周を覆う薄い金属板からなる枠状のアース金具２４５と、アース金具２４５及び上皿液晶表示装置２４４の上面を覆う透明なタッチパネル２４６と、タッチパネル２４６の外周を上側から覆いベース部材２４３を通して下ケース２４０に取付けられる枠状の上カバー２４７と、を備えている。
【００８９】
また、タッチユニット２２０Ｂは、下ケース２４０、ベース部材２４３及び上カバー２４７を組立てた状態で、それらの後端面において、下ケース２４０の下端から上カバー２４７の上端まで上下に延びていると共に、下ケース２４０等の後端面の左右の略全長に亘って延びており、下ケース２４０、ベース部材２４３及び上カバー２４７の後端面に貼付けられている防水性を有したシート状の防水シール２４８を備えている。
【００９０】
下ケース２４０は、外形がユニットケース２３１の収容凹部２１３ａの内形と対応しており、収容凹部２１３ａ内に収容可能に形成されている。下ケース２４０は、左右に延びた長方形状の基板取付部２４０ａと、基板取付部２４０ａの左右両側から夫々台形に突出している平板状の突出部２４０ｂと、各突出部２４０ｂをダンパ２２２の外径と同じ内形で上下に貫通していると共に一部が左右方向外側へ開放されており前後に離間して形成された一対のダンパ取付凹部２４０ｃと、ダンパ取付凹部２４０ｃの内周面から突出しているフランジ部２４０ｄと、突出部２４０ｂにおける一対のダンパ取付凹部２４０ｃの間で基板取付部２４０ａ寄りに配置され加振装置２４２が取付けられる加振装置取付部２４０ｅと、を備えている。
【００９１】
下ケース２４０のダンパ取付凹部２４０ｃは、平面視の形状がＣ字状に形成されており、Ｃ字の開放されている側からダンパ２２２を挿入させることができる。また、フランジ部２４０ｄは、ダンパ取付凹部２４０ｃの上下の略中央で、ダンパ取付凹部２４０ｃのＣ字状の内周面の全周に亘って備えられている。このフランジ部２４０ｄは、ダンパ２２２の溝２２２ａ内に挿入可能とされている。
【００９２】
加振装置２４２は、小型の加振駆動モータ２４２ａと、加振駆動モータ２４２ａの回転軸に重心が偏芯して取付けられる錘２４２ｂと、を備えている。この加振装置２４２は、加振駆動モータ２４２ａによって錘２４２ｂを回転させることで、振動を発生させることができる。
【００９３】
ベース部材２４３は、上皿液晶表示装置２４４が上側から挿入され浅い箱状に形成された液晶取付凹部２４３ａと、液晶取付凹部２４３ａの左右両側から外方へ延出している延出部２４３ｂと、延出部２４３ｂの先端で下ケース２４０のダンパ取付凹部２４０ｃと対応する位置で上下に貫通しており上側が大径に座グリされたネジ孔２４３ｃと、ネジ孔２４３ｃの下端側に形成されており下端へ向かうに従って直径が大きくなるＣ面取り状のテーパ部２４３ｄ（図３２を参照）と、を備えている。
【００９４】
ベース部材２４３のネジ孔２４３ｃの下側の内径は、ユニットケース２３１における横支持ピン２３１ｂのテーパ部２３１ｉよりも先端側が通過することができると共に、テーパ部２３１ｉよりも基端側（下側）が通過することができない大きさに形成されている。
【００９５】
タッチパネル２４６は、衝撃に強く割れ難い強化ガラスと、強化ガラスの上面に備えられた静電容量方式の透明なセンサシートと、強化ガラス及びセンサシートの外周を覆う枠状の保護カバーと、を備えている。
【００９６】
タッチユニット２２０Ｂは、下ケース２４０の左右に夫々一対ずつ備えられたダンパ取付凹部２４０ｃ内に、Ｃ字の開放されている側からダンパ２２２を挿入して、ダンパ２２２を取付けることができる。この際に、ダンパ取付凹部２４０ｃの内周面から突出しているフランジ部２４０ｄが、ダンパ２２２の溝２２２ａ内に挿入される。これにより、ダンパ取付凹部２４０ｃ内のダンパ２２２が、軸方向へ移動するのが規制される。ダンパ取付凹部２４０ｃにダンパ２２２を取付けた状態では、ダンパ２２２の上端がベース部材２４３の延出部２４３ｂの下面に当接すると共に、ダンパ２２２の下端が下ケース２４０の下端（下面）よりも下方へ突出する。
【００９７】
また、タッチユニット２２０Ｂは、一対の加振装置２４２の加振駆動モータ２４２ａが、下ケース２４０とベース部材２４３との間に挟持されている。一対の加振装置２４２は、夫々独立して振動を発生させることができる。
【００９８】
また、タッチユニット２２０Ｂは、タッチパネル２４６を通して上皿液晶表示装置２４４に表示される画像を上側から視認することができる。そして、上皿液晶表示装置２４４にボタン等の画像を表示させ、遊技者がその画像のボタンを操作するようにタッチパネル２４６に触れることで、画像のボタンを操作することができる。
【００９９】
更に、タッチユニット２２０Ｂは、後側の外周面に防止水シール２４８が貼付けられているため、皿ユニット２００上で飲み物等の液体をこぼした時に、その液体がタッチユニット２２０Ｂ内に浸入するのを防止することができ、タッチユニット２２０Ｂが液体の浸入によって破損するのを防止することができる。
【０１００】
［２−１ｄ−３．ボタンユニット］
演出操作ユニット２２０のボタンユニット２２０Ｃは、図２９及び図３０に示すように、取付ベースユニット２２０Ａにおけるユニットケース２３１のボタンユニット取付部２３１ｇに取付けられる円筒状のユニット本体２５０と、ユニット本体２５０の下側に配置され上面にＬＥＤが備えられた演出ボタン装飾基板２５１と、演出ボタン装飾基板２５１の下側を覆いユニット本体２５０の下側に取付けられる基板カバー２５２と、を備えている。
【０１０１】
また、ボタンユニット２２０Ｃは、ユニット本体２５０内に上側から上下へスライド可能に挿入される筒状のボタンベース２５３と、ボタンベース２５３とユニット本体２５０との間に配置されボタンベース２５３を上方へ付勢するバネ部材２５４と、ボタンベース２５３内に挿入され演出ボタン装飾基板２５１のＬＥＤからの光を上方へ導くことが可能な導光部材２５５と、導光部材２５５の上側に配置され複数の微小なプリズムを備えたシート状の拡散レンズ部材２５６と、拡散レンズ部材２５６の上側を覆いボタンベース２５３に取付けられる透光性を有した上皿演出ボタン２５７と、演出ボタン装飾基板２５１の上面に取付けられておりボタンベース２５３の下降端への移動を検知する演出ボタン押圧センサ２５８と、を備えている。
【０１０２】
ユニット本体２５０は、外周面の下端から外方へ延出しボタンユニット取付部２３１ｇに取付けられる三つの取付片２５０ａと、内周面の下端から内方へ延出しているフランジ状の棚部２５０ｂと、内周面に沿って棚部２５０ｂを貫通している一対の貫通口２５０ｃと、を備えている。
【０１０３】
ボタンベース２５３は、棚部２５０ｂの内周に挿入される筒状の下筒部２５３ａと、下筒部２５３ａの上端から上方へ向かうに従って直径が大きくなる円錐筒状の上筒部２５３ｂと、上筒部２５３ｂの上端から下方へ延出しており下端がユニット本体２５０の貫通口２５０ｃを貫通可能とされていると共に下端から外方へ突出しユニット本体２５０の下面と係合（当接）可能な爪を有する一対の係合爪部２５３ｃと、上筒部２５３ｂの外周面から上端の外径よりも短く外方へ放射状に突出しており下端がユニット本体２５０の棚部２５０ｂの上面と当接可能な複数の平板状の当接片２５３ｄと、下筒部２５３ａ及び上筒部２５３ｂの外周面から外方へ平板状に延出しており演出ボタン押圧センサ２５８に検知される検知片２５３ｅと、を備えている。
【０１０４】
バネ部材２５４は、図示するように、コイルバネとされている。このバネ部材２５４は、下端がユニット本体２５０の棚部２５０ｂの上面に当接され、上端がボタンベース２５３における複数の当接片２５３ｄによって支持される。
【０１０５】
導光部材２５５は、ボタンベース２５３における上筒部２５３ｂの上部に嵌め込まれる円盤状の本体部２５５ａと、本体部２５５ａの下面から下方へボタンベース２５３の下筒部２５３ａの下端付近まで延びている円柱状の複数の導光部２５５ｂと、を備えている。複数の導光部２５５ｂは、演出ボタン装飾基板２５１のＬＥＤと対応するように備えられており、ＬＥＤからの光を導いて本体部２５５ａの上面全体から放出させることができる。
【０１０６】
このボタンユニット２２０Ｃは、ボタンベース２５３、導光部材２５５、拡散レンズ部材２５６、及び上皿演出ボタン本体が一体的に組立てられており、それらが一緒にユニット本体２５０内を上下にスライドすることができる。これらボタンベース２５３等は、バネ部材２５４の付勢力によって、上皿演出ボタン２５７の上面がユニット本体２５０の上端よりも上方へ突出すると共に、ボタンベース２５３の一対の係合爪部２５３ｃがユニット本体２５０の下面と係合することで、これ以上の上昇が規制され、上皿演出ボタン２５７等が上昇端に位置した状態となる。
【０１０７】
バネ部材２５４の付勢力に抗して上皿演出ボタン２５７を下方へ押圧すると、上皿演出ボタン２５７等が下降し、ボタンベース２５３の検知片２５３ｅが、演出ボタン押圧センサ２５８によって検知され、上皿演出ボタン２５７の押圧操作が検知される。上皿演出ボタン２５７の押圧により、ボタンベース２５３が下降すると、ボタンベース２５３の複数の当接片２５３ｄの下端が、ユニット本体２５０の棚部２５０ｂの上面に当接し、これ以上の下降が規制され、上皿演出ボタン２５７等が下降端に位置した状態となる。
【０１０８】
また、ボタンユニット２２０Ｃは、演出ボタン装飾基板２５１のＬＥＤを発光させることで、上皿演出ボタン２５７を発光装飾させることができる。演出ボタン装飾基板２５１のＬＥＤは、フルカラーＬＥＤとされており、上皿演出ボタン２５７を様々な色に発光装飾させることができる。
【０１０９】
［２−１ｄ−４．演出操作ユニットの特徴］
本実施形態の演出操作ユニット２２０は、図３２に示すように、組立てた状態で、タッチユニット２２０Ｂの下ケース２４０のダンパ取付凹部２４０ｃに取付けられたダンパ２２２の下端が、下ケース２４０の下面よりも下方へ突出していることから、取付ベースユニット２２０Ａのユニットケース２３１の収容凹部２３１ａの底面と、タッチユニット２２０Ｂの下ケース２４０の下面との間に、隙間が形成される。また、ユニットケース２３１の四つの横支持ピン２３１ｂの先端面（上端面）は、ベース部材２４３のネジ孔２４３ｃの座グリの底面と一致しており、横支持ピン２３１ｂに対するタッチユニット２２０Ｂの上方へ移動が、横支持ピン２３１ｂの上端にねじ込まれたビス２２７の頭部の平座金によって規制されている。また、横支持ピン２３１ｂの上端側に形成されたテーパ部２３１ｉと、ベース部材２４３のネジ孔２４３ｃの下端側に形成されたテーパ部２４３ｄとは、互いに離間している。
【０１１０】
また、演出操作ユニット２２０は、図３３に示すように、ユニットケース２３１の前支持ピン２３１ｃに挿入されているダンパ２２２の上面は、収容凹部２３１ａの底面における横支持ピン２３１ｂ側の底面よりも若干上方へ突出している。また、ユニットケース２３１の収容凹部２３１ａの底面と、下ケース２４０の下面との間に隙間が形成されていることから、ユニットケース２３１の前支持ピン２３１ｃに挿入されたダンパ２２２の上面と、下ケース２４０の下面との間にも隙間が形成されている。また、ユニットケース２３１の中央支持突起２３１ｄの上面と下ケース２４０の下面との間にも隙間が形成されている。つまり、タッチユニット２２０Ｂは、左右両側の横支持ピン２３１ｂに挿入されたダンパ２２２によって、下面が宙に浮いた状態で取付ベースユニット２２０Ａに取付けられている。
【０１１１】
更に、演出操作ユニット２２０は、取付ベースユニット２２０Ａの取付ベース２３０における下方へ窄まる角錐筒状の筒状受部２３０ｃ内に、上側からタッチユニット２２０Ｂが取付けられているユニットケース２３１における下方へ窄まる角錐状の受突部２３１ｅの下端が挿入されている。この筒状受部２３０ｃの内周壁と、受突部２３１ｅの外周壁との間には、僅かな隙間が形成されている。これにより、通常の状態では、取付ベース２３０には、ユニットケース２３１の内側（収容凹部２３１ａの中央側）が宙に浮いた状態で、ユニットケース２３１の外周付近のみが取付けられている。
【０１１２】
また、演出操作ユニット２２０は、図２１等に示すように、タッチユニット２２０Ｂにおいて遊技領域５ａに近い後側の辺に沿って線状発光レンズ部材２３７の線状発光部２３７ｂの上端が線状（帯状）に露出している。線状発光部２３７ｂの上端の長さは、タッチユニット２２０Ｂの後辺の長さの約２／３である。このタッチユニット２２０Ｂの後辺に沿って露出している線状発光部２３７ｂの上端の後側に、上皿後装飾部材２３６が配置されている。また、上皿後装飾部材２３６の正面視右側に、上皿球抜きボタン２３９が配置されている。更に、タッチユニット２２０Ｂの正面視左側に、ボタンユニット２２０Ｃが配置されている。
【０１１３】
この演出操作ユニット２２０は、遊技領域５ａ内に遊技球を打込むことで変化する遊技状態に応じて、遊技者に対して様々な演出を提示することができる。例えば、タッチユニット２２０Ｂの上皿液晶表示装置２４４に画像を表示させることで、透明なタッチパネル２４６を通して画像（演出画像）を遊技者に提示して楽しませることができる。
【０１１４】
この上皿液晶表示装置２４４に表示される画像として、操作ボタンを模した画像を表示させると共に、タッチパネル２４６のセンサシート２４６ｂによるタッチの検知を受付可能とすることで、遊技者に対して画像の操作ボタンを操作させることができ、タッチパネル２４６を用いた演出を楽しませることができる。タッチパネル２４６を用いた演出の際に上皿液晶表示装置２４４に表示される画像は、操作ボタンに限定するものではなく、様々な画像を表示させることができる。
【０１１５】
また、演出操作ユニット２２０では、タッチユニット２２０Ｂを複数のダンパ２２２によってユニットケース２３１から浮いた状態で支持しているため、遊技状態に応じて加振装置２４２を動作させることで、タッチユニット２２０Ｂを振動させることができる。タッチパネル２４６を用いた演出の際に、加振装置２４２によってタッチパネル２４６（タッチユニット２２０Ｂ）を振動させることで、加振装置２４２による振動をタッチパネル２４６に接触している遊技者の指や手等に伝達させて、遊技者に対して画像の操作ボタンを操作しているにも関わらず恰も実体のある操作ボタンを操作しているように錯覚させて驚かせることができ、タッチパネル２４６と振動による演出を遊技者に楽しませて興趣が低下するのを抑制することができる。
【０１１６】
更に、演出操作ユニット２２０では、タッチユニット２２０Ｂの正面視左側にボタンユニット２２０Ｃを備えているため、遊技状態に応じて遊技者に上皿演出ボタン２５７を押圧操作させて、上皿演出ボタン２５７の操作を楽しませることができる。詳述すると、タッチパネル２４６における画像の操作ボタンでは、タッチパネル２４６に触れるだけであるため実際の操作ボタンと比較して操作感に欠ける嫌いがあるが、上皿演出ボタン２５７では現実に押圧操作することができるため、上皿演出ボタン２５７の操作に違和感を与えてしまうことがなく、上皿演出ボタン２５７の操作を快適に楽しませることができ、遊技に対する興趣が低下するのを抑制することができる。
【０１１７】
この演出操作ユニット２２０は、前方へ膨出している皿ユニット２００において上皿２０１が備えられている部位に配置されているため、タッチユニット２２０Ｂやボタンユニット２２０Ｃを用いた演出中以外においても、遊技者をタッチユニット２２０Ｂ等を上から叩く虞がある。これに対して、演出操作ユニット２２０では、タッチユニット２２０Ｂをダンパ２２２によって下側のユニットケース２３１から浮いた状態で支持しているため、タッチユニット２２０Ｂが上から叩かれても、ダンパ２２２の弾性力によってその衝撃をある程度吸収することができる。詳述すると、タッチユニット２２０Ｂが叩かれたり押圧されたり等して、上から衝撃（荷重）が作用すると、左右の横支持ピン２３１ｂが挿入されているダンパ２２２に伝達され、タッチユニット２２０Ｂが下降しながらダンパ２２２が圧縮される。横支持ピン２３１ｂに支持されたダンパ２２２が圧縮されることで、タッチユニット２２０Ｂからの衝撃が吸収される。
【０１１８】
そして、更に、衝撃によってタッチユニット２２０Ｂが下降すると、下ケース２４０の下面が前支持ピン２３１ｃの挿入されているダンパ２２２の上端に当接し、タッチユニット２２０Ｂの下降に伴って前支持ピン２３１ｃに支持されているダンパ２２２が下方へ圧縮される。これにより、横支持ピン２３１ｂに支持されているダンパ２２２に加えて、前支持ピン２３１ｃに支持されているダンパ２２２によっても、タッチユニット２２０Ｂからの衝撃が吸収される。
【０１１９】
タッチユニット２２０Ｂに作用する衝撃によってタッチユニット２２０Ｂが更に下降すると、タッチユニット２２０Ｂの下ケース２４０の下面がユニットケース２３１における収容凹部２３１ａの左右両側の底面と中央支持突起２３１ｄの上面とに当接する。これにより、タッチユニット２２０Ｂからの衝撃が、複数のダンパ２２２介さず、タッチユニット２２０Ｂからユニットケース２３１へ直接作用することとなる。
【０１２０】
更に、タッチユニット２２０Ｂが下降すると、中央支持突起２３１ｄからの荷重によってユニットケース２３１の収容凹部２３１ａの底面が、その中央が下方へ移動するように撓むこととなる。この収容凹部２３１ａの底面の撓みによる弾性力によって、タッチユニット２２０Ｂからの衝撃が吸収される。この収容凹部２３１ａの底面が撓むことで、収容凹部２３１ａの底面の下側から下方へ突出している一対の受突部２３１ｅが下降する。そして、タッチユニット２２０Ｂからの衝撃によって受突部２３１ｅが更に下降すると、受突部２３１ｅの外周壁の下端側が、取付ベース２３０の筒状受部２３０ｃの内周壁に当接し、タッチユニット２２０Ｂからの衝撃が、ユニットケース２３１から取付ベース２３０へ伝達されることとなる。
【０１２１】
受突部２３１ｅの外周壁と筒状受部２３０ｃの内周壁は、夫々が下方へ窄まる角錐状に形成さていることから、受突部２３１ｅから筒状受部２３０ｃ（取付ベース２３０側）へ伝達される荷重が、取付ベース２３０の取付側受部２３０ａの底面に沿った方向と底面に垂直な方向とに分散されて伝達される。このように、タッチユニット２２０Ｂに作用した衝撃が、取付ベース２３０に伝達されるまでに、その衝撃を吸収する構成が幾重にも配置されているため、タッチユニット２２０Ｂに作用した衝撃を十分に吸収して緩和させることができ、その衝撃によって、タッチユニット２２０Ｂ、ユニットケース２３１、取付ベース２３０等を破損し難くすることができる。
【０１２２】
また、演出操作ユニット２２０は、遊技状態に応じて上皿後装飾基板２３５の周縁用ＬＥＤ２３５ｂによりタッチユニット２２０Ｂの後側の外周縁に沿って延びている線状発光レンズ部材２３７の線状発光部２３７ｂの上端を線状に発光させることができる。これにより、遊技者の関心をタッチユニット２２０Ｂへ引付けることができ、タッチユニット２２０Ｂにおける上皿液晶表示装置２４４に表示される画像や、タッチパネル２４６を用いたタッチ演出等を楽しませて興趣が低下するのを抑制することができる。
【０１２３】
また、遊技状態に応じて、上皿後装飾基板２３５の装飾用ＬＥＤ２３５ａによりタッチパネル２２０Ｂの後側（線状発光部２３７ｂよりも後側）に配置されている上皿後装飾部材２３６を発光装飾させることができる。この上皿後装飾部材２３６を発光装飾させることで、線状発光レンズ部材２３７の線状発光部２３７ｂの発光と同様に、遊技者の関心をタッチユニット２２０Ｂ等の演出操作ユニット２２０へ引付けることができ、演出操作ユニット２２０によって提示される演出を楽しませて興趣が低下するのを抑制することができる。
【０１２４】
更に、上皿液晶基板２４１や上皿液晶表示装置２４４を備えたタッチユニット２２０Ｂを、取付ベースユニット２２０Ａの取付ベース２３０とユニットケース２３１とによって、皿ユニットカバー２６０の後述する上皿下被覆部２６２の上面よりも高い位置に配置していると共に、タッチユニット２２０Ｂの後側の外周面に防水シール２４８を貼付けている。これにより、上皿２０１において、外気に触れることで上皿本体２１２や遊技球の表面で結露した水（水滴）が、上皿２０１の下方（上皿下被覆部２６２上）へ流動しても、タッチユニット２２０Ｂ内へ結露した水が浸入するのを防止することができ、タッチユニット２２０Ｂにおいて不具合が発生するのを防止することができる。
【０１２５】
また、図３３に示すように、上皿後装飾部材２３６や線状発光レンズ部材２３７を発光装飾させる上皿後装飾基板２３５を、上皿２０１の底面よりも高い位置に配置しているため、上皿２０１で結露した水滴にさらされることがなく、上皿後装飾基板２３５においてショートや腐蝕等の不具合が発生するのを防止することができる。
【０１２６】
［２−１ｅ．皿ユニットカバー］
皿ユニット２００の皿ユニットカバー２６０は、図１７乃至図２０に示すように、左右に延びていると共に、左右の中央が前方へ膨出しており、後方へ開放された殻状に形成されている。皿ユニットカバー２６０は、左右の略中央で前方へ開口しており後端が皿ユニットベース２１０によって閉鎖される下皿開口部２６１と、下皿開口部２６１の内周壁における天板側（上側）を形成しており上皿本体２１２及び演出操作ユニット２２０の下側を覆う上皿下被覆部２６２と、下皿開口部２６１の正面視左側に配置されており本体枠４のスピーカユニット９２０の低音スピーカからの音を透過させるスピーカグリル２６３と、スピーカグリル２６３の上側に配置され皿ユニット左装飾基板３４５によって発光装飾される皿ユニット左装飾部材２６４と、下皿開口部２６１の正面視右側に配置されておりハンドルユニット５００のハンドル本体５０２の後部が通過するハンドル口２６５と、皿ユニットカバー２６０の底面を形成しており下皿本体２１４の下側を覆う底板部２６６と、左右の中央で底板部２６６を上下に貫通しており下皿球抜きユニット３２０によって閉鎖される底板開口部２６７と、を備えている。
【０１２７】
下皿開口部２６１は、内周壁の底板側（下側）が下皿本体２１４によって閉鎖される。スピーカグリル２６３及び皿ユニット左装飾部材２６４は、金属板に複数の孔を設けたパンチングメタルによって構成されている。
【０１２８】
この皿ユニットカバー２６０は、正面視左側の表面が滑らかな感じに形成されているのに対して、右側の表面がゴツゴツした感じに形成されている。また、正面視の右側は、略全体的に透光性を有している。
【０１２９】
皿ユニットカバー２６０は、皿ユニット２００に組立てた状態で、タッチユニット２２０Ｂの上面と上皿下被覆部２６２の下面との間が、片手で掴むことが可能な間隔に形成されている。これにより、遊技者が、タッチユニット２２０Ｂをタッチ操作する際に、下皿開口部２６１の上側を掴むことで、タッチする指（手や腕）を安定させることができ、タッチユニット２２０Ｂのタッチ操作を行い易くできる。
【０１３０】
詳述すると、組立てた状態では、タッチユニット２２０Ｂの前端上面と上皿下被覆部２６２の下面との間の厚さが約２５ｍｍに、タッチユニット２２０Ｂの後端上面と上皿下被覆部２６２の下面との間の厚さが約５０ｍｍに、上皿下被覆部２６２の前端からタッチユニット２２０Ｂの後端までの前後の距離が約６０ｍｍに、夫々形成されている。また、タッチユニット２２０Ｂの上面が、水平に対して約２０度傾斜している。これにより、タッチユニット２２０Ｂの上面と上皿下被覆部２６２の下面との間を、遊技者の手で掴むことができる。
【０１３１】
［２−１ｆ．扉右下演出ユニット］
皿ユニット２００の扉右下演出ユニット２７０は、図３４乃至図４２に示すように、ハンドルユニット５００の上側、且つ、演出操作ユニット２００の右側に配置されており、遊技状態に応じて回転すると共に発光装飾する球状の扉右下回転体２７０Ａを備えている。扉右下演出ユニット２７０は、皿ユニットベース２１０の前面で逃し口２１０ｇを閉鎖するように取付けられ扉右下回転体２７０Ａを回転可能に支持するユニットベース２７１と、ユニットベース２７１に取付けられている扉右下駆動モータ２７２と、扉右下駆動モータ２７２の回転軸に固定されている駆動ギア２７３と、駆動ギア２７３と噛合し扉右下回転体２７０Ａに取付けられている従動ギア２７４と、従動ギア２７４を回転可能に支持しておりユニットベース２７１に取付けられている軸部材２７５と、を備えている。
【０１３２】
また、扉右下演出ユニット２７０は、従動ギア２７４とは扉右下回転体２７０Ａの反対側に取付けられておりユニットベース２７１に回転可能に支持されている回転体側軸受部材２７６と、扉右下回転体２７０Ａの従動ギア２７４とは反対側をユニットベース２７１と協働して回転可能に支持しているベース側軸受部材２７７と、ユニットベース２７１に取付けられており扉右下回転体２７０Ａの回転位置を検知可能な二つの回転検知センサ２７８と、扉右下回転体２７０Ａの正面視左側でユニットベース２７１に取付けられている装飾部材２７９と、ユニットベース２７１の後側に取付けられており前面に複数のＬＥＤを備えた扉右下ベース装飾基板２８０と、ユニットベース２７１の後側に取付けられており扉右下駆動モータ２７２、回転検知センサ２７８、扉右下ベース装飾基板２８０、及び後述する扉右下回転体装飾基板２９１と周辺制御基板（図示は省略）との接続を中継する扉右下中継基板２８１と、を備えている。
【０１３３】
扉右下回転体２７０Ａは、外殻を構成し夫々が半球殻状の前外殻部材２８５及び後外殻部材２８６と、前外殻部材２８５と後外殻部材２８６との間に配置される回転体内部ユニット２９０と、を備えている。前外殻部材２８５及び後外殻部材２８６は、回転軸を中心に半円形状の切欠部２８５ａ，２８６ａが夫々形成されている。前外殻部材２８５は、透光性を有した半球殻状の表面に、金属光沢を有し周方向へ帯状に延びている帯装飾２８５ｂと、帯装飾２８５ｂの中央に配置されているハート形のハート装飾２８５ｃと、を備えている。一方、後外殻部材２８６は、透光性を有した半球殻状の表面に、金属光沢を有し周方向へ帯状に延びている帯装飾２８６ｂを備えている。前外殻部材２８５と後外殻部材２８６とを合わせた時に、前外殻部材２８５の帯装飾２８５ｂと後外殻部材２８６の帯装飾２８６ｂとが繋がるように形成されている。
【０１３４】
回転体内部ユニット２９０は、図４０及び図４１に示すように、円盤状で両面に複数のＬＥＤが備えられている扉右下回転体装飾基板２９１と、扉右下回転体装飾基板２９１の中心に取付けられており扉右下回転体装飾基板２９１の面に対して垂直に延びており先端が軸部材２７５に取付けられる円柱状の第一固定軸部材２９２と、第一固定軸部材２９２とは扉右下回転体装飾基板２９１の反対側に取付けられており扉右下回転体装飾基板２９１の面に対して垂直に延びており先端がユニットベース２７１及びベース側軸受部材２７７に取付けられる円筒状の第二固定軸部材２９３と、を備えている。図示は省略するが、第二固定軸部材２９３の内部には、扉右下中継基板２８１と扉右下回転体装飾基板２９１とを接続する配線コードが挿入されている。
【０１３５】
また、回転体内部ユニット２９０は、扉右下回転体装飾基板２９１の両側に配置されており前外殻部材２８５及び後外殻部材２８６の内側に取付けられる平板で円環状の透明なリフレクタベース２９４と、リフレクタベース２９４に取付けられており円環状で軸方向外側へ開いた朝顔状の第一リフレクタ２９５と、第一リフレクタ２９５の円環内を通してリフレクタベース２９４に取付けられており中心に六角形の貫通孔２９６ａを有した第二リフレクタ２９６と、を備えている。第一リフレクタ２９５及び第二リフレクタ２９６は、表面に金属光沢を有したメッキ層が備えられており、扉右下回転体装飾基板２９１からの光を反射させることができる。また、第一リフレクタ２９５及び第二リフレクタ２９６には、放射状に延びた平板状のリブが複数備えられている。
【０１３６】
この回転体内部ユニット２９０は、扉右下回転体装飾基板２９１、第一固定軸部材２９２、及び第二固定軸部材２９３と、リフレクタベース２９４、第一リフレクタ２９５、及び第二リフレクタ２９６とが、相対回転可能に互いに分離している。
【０１３７】
ユニットベース２７１は、扉右下回転体２７０Ａの後側に配置される環状のリング部２７１ａと、リング部２７１ａの外周におけるリング部２７１ａの中心に対して正面視斜め右上の部位から前方へ平板状に突出している第一突出片２７１ｂと、リング部２７１ａの外周における第一突出片２７１ｂとは反対側の部位から前方へ平板状に突出している第二突出片２７１ｃと、第二突出片２７１ｃの前端から後方へ向かってＵ字状に窪み第二固定軸部材２９３の先端が挿入される軸受溝２７１ｄと、を備えている。
【０１３８】
扉右下駆動モータ２７２は、第一突出片２７１ｂの外側の側面（右側の側面）に、回転軸が貫通した状態で取付けられる。従動ギア２７４は、駆動ギア２７３よりも大径に形成されている。軸部材２７５は、第一突出片２７１ｂの前端に取付けられる取付部２７５ａと、取付部２７５ａから筒状に突出している筒状軸部２７５ｂと、を備えている。この軸部材２７５は、筒状軸部２７５ｂの外周によって従動ギア２７４を回転可能に支持できると共に、筒状軸部２７５ｂの内周によって第一固定軸部材２９２の先端を回転不能に支持できる。
【０１３９】
回転体側軸受部材２７６は、第二固定軸部材２９３が回転可能に挿入される軸受孔２７６ａと、外方へ延出している平板状の検知片２７６ｂと、を備えている。ベース側軸受部材２７７は、ユニットベース２７１における第二突出片２７１ｃの前端のＵ字状の軸受溝２７１ｄの開放されている前端側を閉鎖するように、第二突出片２７１ｃの前端に取付けられる。二つの回転検知センサ２７８は、扉右下回転体２７０Ａの回転軸を挟んで対称に第二突出片２７１ｃに取付けられる。二つの回転検知センサ２７５は、扉右下回転体２７０Ａのハート装飾２８５ｃが前方を向く回転位置（図４２（ａ）を参照）と、ハート装飾２８５ｃが後方を向く回転位置（図４２（ｂ）を参照）とを、夫々検知することができる。
【０１４０】
本実施形態の扉右下演出ユニット２７０は、遊技状態に応じて、扉右下駆動モータ２７２によって扉右下回転体２７０Ａを回転させることができると共に、ハート装飾２８５ｃが前方を向くように停止するか否かで、遊技者に対してチャンスの到来等を示唆することができ、遊技者を楽しませて興趣が低下するのを抑制することができる。
【０１４１】
また、扉右下演出ユニット２７０は、扉右下回転体２７０Ａ内部の扉右下回転体装飾基板２９１が回転不能に取付けられていることから、扉右下回転体２７０Ａの回転中に、扉右下回転体装飾基板２９１（のＬＥＤ）を発光させると、扉右下回転体２７０Ａの回転につれて扉右下回転体装飾基板２９１から照射される光の位置が移動すると共に、第一リフレクタ２９５や第二リフレクタ２９６によって反射誘導される光の方向が変化するため、扉右下回転体装飾基板２９１のＬＥＤを点滅させなくても、光が点滅しているように扉右下回転体２７０Ａを発光装飾させたり、ＬＥＤから多様な色の光を照射することで扉右下回転体２７０Ａを虹色に発光装飾させたりすることができ、遊技者を楽しませることができる。
【０１４２】
［２−１ｇ．演出ユニットカバー］
皿ユニット２００の演出ユニットカバー３００は、図１９及び図２０に示すように、扉右下演出ユニット２７０における球状の扉右下回転体２７０Ａの前側を覆う半球状で透明な回転体カバー部３０１と、回転体カバー部３０１の外周に形成されており皿ユニットカバー２６０の正面視右側の装飾と連続した装飾部３０２と、回転体カバー部３０１の下部右側において前後に貫通しており施錠ユニット７００の鍵シリンダ７１０が挿通されるシリンダ挿通口３０３と、を備えている。
【０１４３】
演出ユニットカバー３００は、全体が後方が開放された容器状で、透光性を有している。この演出ユニットカバー３００は、回転体カバー部３０１の上側が扉右下演出ユニット２７０の扉右下ベース装飾基板２８０によって発光装飾されると共に、回転体カバー部３０１の下側が皿ユニット右装飾基板３４６によって発光装飾される。
【０１４４】
［２−１ｈ．上皿球抜きユニット］
皿ユニット２００の上皿球抜きユニット３１０は、図４３乃至図４５に示すように、皿ユニットベース２１０の透口２１０ｅ及び受片２１０ｆを前側から覆うように皿ユニットベース２１０の前面に取付けられ後方が開放された縦長箱状で上部に上皿球抜きボタン２３９の延出片２３９ａが挿通可能な挿通口３１１ａを有しているカバー３１１と、カバー３１１内における皿ユニットベース２１０の透口２１０ｅの正面視左上となる位置に取付けられている前ベース部材３１２と、前ベース部材３１２によって回転可能に支持されており上皿球抜きボタン２３９の押圧により回動する押圧伝達部材３１３と、押圧伝達部材３１３を上皿球抜きボタン２３９が上昇する方向へ付勢している第一バネ部材３１４と、を備えている。
【０１４５】
また、上皿球抜きユニット３１０は、皿ユニットベース２１０の上皿球送り口２１０ｄを後側から閉鎖するように皿ユニットベース２１０の後側に取付けられている後ベース部材３１５と、後ベース部材３１５と皿ユニットベース２１０との間に配置されていると共に後ベース部材３１５によって昇降可能に取付けられており上側から押圧伝達部材３１３が接触している上皿球抜きスライダ３１６と、上皿球抜きスライダ３１６を上方へ付勢している第二バネ部材３１７と、を備えている。
【０１４６】
前ベース部材３１２は、皿ユニットベース２１０の前面と平行に延びておりカバー３１１に取付けられる平板状のベース部３１２ａと、ベース部３１２ａの左右両辺から前方へ平板状に延出している一対の延出片３１２ｂと、延出片３１２ｂの前端から後方へＵ字状に凹んだ軸支部３１２ｃと、ベース部３１２ａの前面下端付近に備えられており第一バネ部材３１４の後端が係止される鉤状のバネ係止部（図示は省略）と、を備えている。
【０１４７】
押圧伝達部材３１３は、両端が前ベース部材３１２の一対の軸支部３１２ｃ内へ回転可能に挿入される横長円柱状の軸部３１３ａと、軸部３１３ａから後方へ平板状に延出している後方延出片３１３ｂと、後方延出片３１３ｂの上面における正面視左端付近から上方へ平板状に延出しており上皿球抜きボタン２３９の延出片２３９ｃの下端が当接可能な上方延出片３１３ｃと、後方延出片３１３ｂの下面における正面視右端から下方へ平板状に延出している下方延出片３１３ｄと、軸部３１３ａにおける正面視左端付近の下側から下方へ突出しており第一バネ部材３１４の前端が係止される鉤状のバネ係止部３１３ｅと、を備えている。下方延出片３１３ｄは、後方へ向かうに従って下方へ延びる三角形に形成されており、下端が上皿球抜きスライダ３１６と当接可能とされている。
【０１４８】
後ベース部材３１５は、皿ユニットベース２１０の後面と平行に平板状に延びており皿ユニットベース２１０に取付けられるベース部３１５ａと、ベース部３１５ａの前面で左右に離間して備えられており上皿球抜きスライダ３１６の左右両端をスライド可能に支持するスライダ支持部３１５ｂと、ベース部３１５ａの上端における皿ユニットベース２１０の上皿球送り口２１０ｄの上部と対応する位置に前方へ開口していると共にベース部３１５ａの後側で下方へ開口し遊技球が流通可能な上部入口３１５ｃと、を備えている。
【０１４９】
また、後ベース部材３１５は、ベース部３１５ａの後側で上部入口３１５ｃと連続して下方へ延びていると共に後方へ開放されており下端が後方へ湾曲している第一誘導路３１５ｄと、第一誘導路３１５ｄの下側から下方へ延びた後に正面視左方へ延びて左端が左方へ開放されており全体が後方へ開放されているＬ字状の第二誘導路３１５ｅと、第二誘導路３１５ｅにおける左方へ延びた部位の後端側を閉鎖している平板状の通路蓋３１５ｆと、Ｌ字状の第二誘導路３１５ｅに二辺が囲まれるようにベース部３１５ａを前後に貫通している開口部３１５ｇと、ベース部３１５ａの前面から前方へボス状に突出しており第二バネ部材３１７の上端が係止されるバネ係止部３１５ｈと、を備えている。
【０１５０】
後ベース部材３１５におけるＬ字状の第二誘導路３１５ｅは、左方へ延びた部位が、左方へ向かうに従って低くなるように傾斜している。この第二誘導路３１５ｅの左端は、図４３（ｂ）に示すように、皿ユニットベース２１０における筒状の下皿球供給口２１０ｃの切欠部２１０ｊに挿入されており、第二誘導路３１５ｅと下皿球供給口２１０ｃとが互いに連通している。
【０１５１】
上皿球抜きスライダ３１６は、平板状で左右両端が後ベース部材３１５のスライダ支持部３１５ｂにスライド可能に支持されるスライダベース３１６ａと、スライダベース３１６ａの上端における正面視中央より左側から前方へ皿ユニットベース２１０の透口２１０ｅを通って受片２１０ｆの上側へ延出し上面に押圧伝達部材３１３の下方延出片３１３ｄの下端が当接可能な伝達片３１６ｂと、伝達片３１６ｂの下側でスライダベース３１６ａの後側から下方へ向かうに従って後方へ突出している三角状の作動伝達部３１６ｃと、スライダベース３１６ａの前面から突出しており第二バネ部材３１７の下端が係止される鉤状のバネ係止部３１６ｄと、を備えている。
【０１５２】
上皿球抜きユニット３１０は、皿ユニット２００を組立てた状態で、後ベース部材３１５の上部入口３１５ｃが、上皿本体２１２の誘導通路部２１２ａの正面視右端側となる下端に開口している。これにより、上皿２０１内の遊技球を、上部入口３１５ｃからベース部３１５ａの後側の第一誘導部３１５ｄを介して球送りユニット５４０へ供給することができる。
【０１５３】
また、上皿球抜きユニット３１０は、上皿球抜きボタン２３９を下方へ押圧すると、上皿球抜きボタン２３９の延出片２３９ａによって押圧伝達部材３１３が、第一バネ部材３１４の付勢力に抗して軸部３１３ａを中心に、下方延出片３１３ｄの下端が下方へ移動する方向へ回動する。押圧伝達部材３１３の回動に伴って下方延出片３１３ｄの下端が下方へ移動すると、下方延出片３１３ｄの下端が当接している上皿球抜きスライダ３１６の伝達片３１６ｂによって上皿球抜きスライダ３１６が第二バネ部材３１７の付勢力に抗して下方へスライドする。
【０１５４】
この上皿球抜きスライダ３１６が下方へスライドすることで、作動伝達部３１６ｃが、球送りユニット５４０の切換機構を動作させて球送りユニット５４０内での流路が切換えられて、第一誘導路３１５ｄ側が第二誘導路３１５ｅ側と連通した状態となる。これにより、上皿２０１内の遊技球が、上部入口３１５ｃ、第一誘導路３１５ｄ、球送りユニット５４０、及び第二誘導路３１５ｅを通って、下皿球供給口２１０ｃから下皿２０２へ排出され、上皿２０１内の遊技球を抜くことができる。
【０１５５】
なお、上皿球抜きボタン２３９の下方への押圧を解除すると、第一バネ部材３１４及び第二バネ部材３１７の付勢力によって、上皿球抜きスライダ３１６や上皿球抜きボタン２３９が上昇し、元の状態に復帰することができる。
【０１５６】
［２−１ｉ．下皿球抜きユニット］
皿ユニット２００の下皿球抜きユニット３２０は、図４６等に示すように、皿ユニットカバー２６０の底板開口部２６７を閉鎖するように下皿本体２１４の下側に取付けられ下皿本体２１４の球抜き孔２１４ａと一致する開口部３２１ａを有している平板状の下皿球抜きベース３２１と、下皿球抜きベース３２１上を左右にスライドし開口部３２１ａを閉鎖可能な平板状のスライド蓋３２２と、スライド蓋３２２の前端に取付けられており皿ユニットカバー２６０の前面から外部へ露出する摘み部３２３と、スライド蓋３２２によって開口部３２１ａを閉鎖する方向へスライド蓋３２２を付勢しているバネ部材３２４と、バネ部材３２４の付勢力に抗してスライド蓋３２２を開口部３２１ａを開放している位置に保持する保持装置３２５と、を備えている。
【０１５７】
下皿球抜きベース３２１の開口部３２１ａは、正面視左右中から右寄りの位置に形成されている。この下皿球抜きベース３２１は、下皿本体２１２に取付けることで、下皿球抜きベース３２１と下皿本体２１２との間でスライド蓋３２２を左右へスライド可能に支持することができる。スライド蓋３２２は、正面視左端側に保持装置３２５によって保持される保持突起３２２ａを備えている。
【０１５８】
保持装置３２５は、下皿球抜きベース３２１に取付けられる本体３２５ａと、本体３２５ａから開閉可能に突出しており保持突起３２２ａを掴むことができる一対の保持爪３２５ｂと、を備えている。保持装置３２５は、開いている一対の保持爪３２５ａの間に、保持突起３２２ａを挿入して本体３２５ａ側へ押圧すると、一対の保持爪３２５ｂが閉じて保持突起３２２ａを保持すると共に、一対の保持爪３２５ｂが閉じた状態で維持される。この状態で、保持突起３２２ａを本体３２５ａ側へ移動させると、一対の保持爪３２５ａが開いた状態となり、保持突起３２２ａの保持が解除される。
【０１５９】
この下皿球抜きユニット３２０は、摘み部３２３（スライド蓋３２２）が正面視右側へ移動している状態では、開口部３２１ａと下皿本体２１４の球抜き孔２１４ａとの間にスライド蓋３２２が位置し、下皿２０２内の遊技球が、球抜き孔２１４ａから下方へ抜けることがなく、下皿２０２内に遊技球を貯留させることができる。
【０１６０】
この状態から、摘み部３２３を左側へ操作することでスライド蓋３２２が左方へスライドし、開口部３２１ａと球抜き孔２１４ａとが連通する。これにより、下皿２０２内の遊技球が球抜き孔２１４ａ及び開口部３２１ａを通って皿ユニット２００の下方へ抜けるようになり、下皿２０２内の遊技球を抜くことができる。この際に、スライド蓋３２２の保持突起３２２ａが、保持装置３２５の一対の保持爪３２５ｂによって保持されるため、摘み部３２３の操作をやめてもスライド蓋３２２が開いたままの状態となり、下皿２０２内の遊技球を抜き続けることができる。
【０１６１】
スライド蓋３２２を閉めるには、摘み部３２３を左側へ僅かに操作すると、一対の保持爪３２５ｂが開いて保持突起３２２ａの保持が解除され、バネ部材３２４の付勢力によってスライド蓋３２２が右側へスライドして、球抜き孔２１４ａを閉鎖する。このように、下皿球抜きユニット３２０の摘み部３２３を操作することで、下皿２０２に遊技球を貯留させたり、下皿２０２に貯留された遊技球を抜いたりすることができる。
【０１６２】
［２−１ｊ．球貸操作ユニット］
皿ユニット２００の球貸操作ユニット３３０は、図１９及び図２０等に示すように、演出操作ユニット２２０における正面視右端付近の上面に取付けられ透光性を有しているユニットケース３３１と、ユニットケース３３１の上面に露出しており遊技者が操作可能な球貸ボタン３３２と、球貸ボタン３３２の後側でユニットケース３３１の上面に露出しており遊技者が操作可能な返却ボタン３３３と、返却ボタン３３３の後側でユニットケース３３１の上面を通して遊技者側から視認可能とされている表示部３３４と、を備えている。
【０１６３】
この球貸操作ユニット３３０は、パチンコ機１に隣接して設けられた球貸機に対して現金やプリペイドカードを投入した上で、球貸ボタン３３２を押すと、所定数の遊技球を皿ユニット２００の上皿２０１内へ貸出す（払出す）ことができると共に、返却ボタン３３３を押すと貸出された分の残りを引いた上で投入した現金の残金やプリペイドカードが返却される。また、表示部３３４には、球貸機に投入した現金やプリペイドカードの残数、或は、球貸機が故障した時のエラーコード等、が表示される。
【０１６４】
［２−１ｋ．上皿トップ装飾部材］
皿ユニット２００の上皿トップ装飾部材３４０は、図１９及び図２０等に示すように、皿ユニットベース２１０の上端における左右中央に取付けられ左右に帯状に延びた透光性を有する上皿トップレンズ３４０ａと、上皿トップレンズ３４０ａの下側に取付けられており上面に複数のＬＥＤが取付けられた上皿トップ装飾基板３４０ｂと、を備えている。
【０１６５】
この上皿トップ装飾部材３４０は、上皿トップ装飾基板３４０ｂのＬＥＤを発光させることで、上皿トップレンズ３４０ａを帯状に発光させることができる。この上皿トップ装飾部材３４０は、演出操作ユニット２００の後側に配置されていることから、上皿後装飾部材２３６や線状発光レンズ部材２３７等の発光装飾と同様に、上皿トップ装飾部材３４０を発光装飾させることで、遊技者の関心をタッチユニット２２０Ｂ等の演出操作ユニット２２０へ引付けることができ、演出操作ユニット２２０によって提示される演出を楽しませて興趣が低下するのを抑制することができる。
【０１６６】
［２−１ｌ．皿ユニットの特徴的な作用効果］
本実施形態の皿ユニット２００は、遊技領域５ａの下側の遊技球を貯留する上皿２０１を有した皿ユニット２００の上面における演出操作ユニット２２０のタッチユニット２２０Ｂに、遊技領域５ａ内に遊技球を打込むことで変化する遊技状態に応じて上皿液晶表示装置２４４に画像を表示させる際に、上皿液晶表示装置２４４の遊技領域５ａに近い側の後側の外周縁に沿って帯状の線状発光レンズ部材２３７、上皿後装飾部材２３６、及び上皿トップ装飾部材３４０等を発光させることができるため、遊技者の視線が遊技領域５ａ内に集中していても、視線（視界）の外側から入る線状発光レンズ部材２３７等の光に気付くことができ、遊技者の視線（関心）を線状発光レンズ部材２３７等つまり上皿液晶表示装置２４４側へ引き付けることができる。従って、上皿液晶表示装置２４４において、遊技状態に応じて画像等の演出を提示する際に、線状発光レンズ部材２３７等を発光させることで、遊技者に対して上皿液晶表示装置２４４による演出の提示に気付かせることができ、上皿液晶表示装置２４４による演出を楽しませて興趣が低下するのを抑制することができる。
【０１６７】
また、皿ユニット２００に遊技状態に応じて画像を表示可能な上皿液晶表示装置２４４を備えていることから、チャンスの到来を示唆する画像を表示させるようにした場合、遊技領域５ａ外に配置されている上皿液晶表示装置２４４によってチャンスの到来が示唆されることとなるため、遊技者に対して遊技領域５ａ内での遊技と、遊技領域５ａ外の上皿液晶表示装置２４４での演出との両方を気に掛けさせることができる。従って、遊技領域５ａ内と遊技領域５ａ外（上皿液晶表示装置２４４）とを気に掛けさせることで、スピード感のあるタイトな遊技を楽しませることができ、遊技者の興趣が低下するのを抑制することができると共に、上皿液晶表示装置２４４においてチャンスの到来を示唆する画像を表示する時に、線状発光レンズ部材２３７等を発光させることで、遊技者を上皿液晶表示装置２４４に注目させることができ、チャンスの到来を確実に認識させて遊技者を楽しませることができる。この場合、遊技者によっては、遊技領域５ａ内と遊技領域５ａ外との両方が気になることで、どちらにも集中できなくなって興趣を低下させてしまう虞があるが、遊技状態（チャンスの到来）に応じて線状発光レンズ部材２３７等が発光するため、線状発光レンズ部材２３７等が発光するまでは遊技領域５ａ内へ集中することができ、遊技領域５ａ内での遊技を楽しませることができると共に、線状発光レンズ部材２３７等の発光時には上皿液晶表示装置２４４での演出を楽しませることができ、遊技にメリハリを付けて飽き難くすることができる。
【０１６８】
また、遊技領域５ａの下側で遊技者側へ膨出した皿ユニット２００に上皿液晶表示装置２４４を備えているため、上皿液晶表示装置２４４が遊技者から近い位置に配置されることとなる。これにより、本パチンコ機１の正面に位置している遊技者によって上皿液晶表示装置２４４が隠れ易くなり、上皿液晶表示装置２４４を隣や後ろの他の遊技者からは見え難くなるため、上皿液晶表示装置２４４により提示される演出を当該遊技者のみに楽しませることができる。従って、上皿液晶表示装置２４４による演出を楽しんでいる時に、他の遊技者によって覗かれることで、不快に感じて興趣を低下させてしまうのを低減させることができると共に、上皿液晶表示装置２４４による演出の提示の際に線状発光レンズ部材２３７等が発光することで、上皿液晶表示装置２４４による演出を見逃し難くすることができ、上皿液晶表示装置２４４による演出を楽しませて興趣が低下するのを抑制することができる。
【０１６９】
更に、線状発光レンズ部材２３７等を帯状に発光させるようにしているため、点状に発光させる場合と比較して、線状発光レンズ部材２３７等の発光を目立ち易くすることができ、遊技者の意識が遊技領域５ａ内に集中していても、線状発光レンズ部材２３７等の発光に気付かせ易くすることができ、上皿液晶表示装置２４４やタッチパネル２４６等による演出を楽しませて興趣が低下するのを抑制することができる。また、線状発光レンズ部材２３７等を帯状に発光させるため、他の発光装飾体等の発光とは異なる発光態様となり、発光装飾体等の発光と誤認してしまうのを低減させることができ、確実に線状発光レンズ部材２３７等の発光に気付かせることができる。
【０１７０】
また、上皿液晶表示装置２４４の外周縁のうち遊技領域５ａに近い後側の位置に線状発光レンズ部材２３７等を配置しているため、線状発光レンズ部材２３７等を発光させた時に、線状発光レンズ部材２３７等の光を遊技者の視界に入り易くすることができ、線状発光レンズ部材２３７等の発光に気付かせて上皿液晶表示装置２４４の演出を楽しませることができる。
【０１７１】
また、上皿２０１等を有している皿ユニット２００の上面に上皿液晶表示装置２４４等を有した演出操作ユニット２００を備えており、皿ユニット２００の上皿２０１は遊技領域５ａ内に打込むための遊技球の量を確認するための遊技者がある程度の頻度で視線を向けることから、上皿２０１へ視線を向けた際に上皿液晶表示装置２４４や線状発光レンズ部材２３７等が視界に入り易く、線状発光レンズ部材２３７の発光に気付き易くなる。また、遊技者が上皿２０１へある程度の頻度で視線を向けることから、視線を遊技領域５ａ内から上皿２０１（上皿液晶表示装置２４４）へ向け易い。従って、線状発光レンズ部材２３７等の発光に気付いた時に、即座に視線を上皿液晶表示装置２４４へ移すことができ、上皿液晶表示装置２４４により提示される演出を楽しませて興趣が低下するのを抑制することができる。
【０１７２】
更に、遊技領域５ａの下側に演出操作ユニット２００を配置しており、下側から遊技者へ線状発光レンズ部材２３７等からの光が照射されるため、遊技領域５ａの上側に配置した場合と比較して、遊技者の目に入り易く線状発光レンズ部材２３７等の発光に気付かせ易くすることができ、遊技者を上皿液晶表示装置２４４に確実に注目させることが可能となり、演出操作ユニット２００による演出を楽しませて興趣が低下するのを抑制することができる。
【０１７３】
また、遊技領域５ａの左右方向の中央と対応する位置に演出操作ユニット２００（上皿液晶表示装置２４４）を配置しているため、遊技者の視線の中心が遊技領域５ａ内のどの位置にあっても、線状発光レンズ部材２３７等からの光に気付き易くすることができ、遊技者を確実に上皿液晶表示装置２４４へ注目させることが可能となり、演出操作ユニット２００による演出を楽しませて興趣が低下するのを抑制することができる。
【０１７４】
また、演出操作ユニット２００にタッチパネル２４６を備えているため、画像による演出の他に、遊技者にタッチパネル２４６を操作させる演出も行うことができ、多彩な演出によって遊技者を楽しませることができると共に、遊技者にタッチパネル２４６を操作させることで、演出に参加させることができ、遊技者に対して能動的に演出を楽しませて興趣が低下するのを抑制することができる。
【０１７５】
更に、タッチユニット２２０Ｂの後側の外周縁に沿って配置された線状発光レンズ部材２３７（線状発光部２３７ｂ）が、上皿２０１における遊技球を球送りユニット５４０（球発射装置６８０）へ送る誘導通路部２１２ａに沿って配置されていると共に、誘導通路部２１２ａとの間に上皿球抜きユニット３１０を動作させる上皿球抜きボタン２３９を配置されている。つまり、遊技者が遊技に必要な遊技球を確認する場所の近傍に線状発光レンズ部材２３７が備えられており、遊技中でも遊技者が気にする位置に線状発光レンズ部材２３７を配置した構成としているため、線状発光レンズ部材２３７の発光に気付かせることができ、遊技者の関心をタッチユニット２２０Ｂに引付けてタッチユニット２２０Ｂによる演出（上皿液晶表示装置２４４による演出画像、タッチパネル２４６のタッチ操作、等）のタイミングに気付き易くすることができる。
【０１７６】
また、上皿液晶基板２４１や上皿液晶表示装置２４４を備えたタッチユニット２２０Ｂを、取付ベースユニット２２０Ａの取付ベース２３０とユニットケース２３１とによって、皿ユニットカバー２６０の上皿下被覆部２６２の上面よりも高い位置に配置していると共に、タッチユニット２２０Ｂの後側の外周面に防水シール２４８を貼付けているため、上皿２０１において、外気に触れることで上皿本体２１２や遊技球の表面で結露した水（水滴）が、上皿２０１の下方（上皿下被覆部２６２上）へ流動しても、タッチユニット２２０Ｂ内へ結露した水が浸入するのを防止することができ、タッチユニット２２０Ｂにおいて不具合が発生するのを防止することができる。
【０１７７】
また、図３３に示すように、上皿後装飾部材２３６や線状発光レンズ部材２３７を発光装飾させる上皿後装飾基板２３５を、上皿２０１の底面よりも高い位置に配置しているため、上皿２０１で結露した水滴にさらされることがなく、上皿後装飾基板２３５においてショートや腐蝕等の不具合が発生するのを防止することができる。
【０１７８】
更に、皿ユニット２００の演出操作ユニット２２０において、加振装置２４２によってタッチパネル２４６と上皿液晶表示装置２４４とを備えたタッチユニット２２０Ｂを振動させた際に、タッチユニット２２０Ｂが複数（二つ）のダンパ２２２を挟んで浮いた状態で取付ベースユニット２２０Ａのユニットケース２３１に取付けられているため、タッチユニット２２０Ｂ（加振装置２４２）の振動がダンパ２２２によって吸収・減衰されて取付ベースユニット２２０Ａに伝わることとなり、取付ベースユニット２２０Ａの振動を低減させることができる。従って、タッチユニット２２０Ｂのタッチパネル２４６をタッチ操作した際に、加振装置２４２によってタッチユニット２２０Ｂを振動させると、タッチユニット２２０Ｂのみが振動することとなるため、遊技者に対してタッチユニット２２０Ｂのタッチパネル２４６の操作感を十分に付与することができ、遊技者にタッチパネル２４６のタッチ操作を楽しませて興趣が低下するのを抑制することができる。
【０１７９】
また、加振装置２４２によってタッチユニット２２０Ｂを振動させることができるため、遊技者に対してタッチパネル２４６の操作感の他に、タッチユニット２２０Ｂの振動によって驚かせたり、タッチパネル２４６を操作するタイミングを示唆したりすることができ、タッチユニット２２０Ｂのタッチパネル２４６による操作演出を楽しませて興趣が低下するのを抑制することができる。
【０１８０】
更に、タッチユニット２２０Ｂを複数のダンパ２２２によって下側から支持しているため、タッチユニット２２０Ｂを上側から叩いたり強く押したりしてタッチユニット２２０Ｂに衝撃や荷重等が加えられても、ダンパ２２２によってその衝撃等を吸収することが可能となるため、衝撃等によってタッチユニット２２０Ｂや取付ベースユニット２２０Ａ等が破損してしまうのを低減させることができ、タッチユニット２２０Ｂ等の破損により遊技が中断することで遊技者の興趣が低下してしまうのを抑制することができる。
【０１８１】
また、タッチユニット２２０Ｂの操作する部位をタッチパネル２４６としていることから、遊技者が操作する際には、ボタンを押圧操作する場合と比較して、タッチパネル２４６に触れている時間が長くなるため、タッチパネル２４６に触れた時に加振装置２４２でタッチユニット２２０Ｂを振動させると、その振動を遊技者の指（手）に確実に伝達させることができる。従って、遊技者の指が振動することでタッチパネル２４６を操作していることを遊技者に実感させることができるため、十分な操作感を付与することができ、遊技者にタッチパネル２４６の操作を楽しませて興趣が低下するのを抑制することができる。
【０１８２】
また、タッチユニット２２０Ｂの上皿液晶表示装置２４４に表示される画像を変更することで、タッチ操作（ボタン）の種類を簡単に変更することができ、多様な演出に対応することが可能となり、多様な演出によって遊技者を飽き難くして興趣が低下するのを抑制することができる。更に、タッチユニット２２０Ｂにタッチパネル２４６を備えているため、従来の押圧ボタンと比較して、タッチ、タップ（シングルタップ、ダブルタップ）、ドラッグ、フリック、ピンチ（ピンチアウト、ピンチイン）、スワイプ、タッチアンドホールド、等の様々な操作を行うことができる。これにより、より多彩な操作演出を行うことができ、遊技者を楽しませて興趣が低下するのを抑制することができる。
【０１８３】
更に、タッチユニット２２０Ｂを、取付ベースユニット２２０Ａ（ユニットケース２３１）に対して上方へ移動不能且つ下方へ移動可能に取付けるようにしており、複数のダンパ２２２の弾性力（付勢力）によってタッチユニット２２０Ｂが上側の移動端に押し付けられた状態となるため、タッチパネル２４６の操作中にタッチユニット２２０Ｂを動き難くすることができ、タッチパネル２４６の操作を的確に行い易くすることができる。また、タッチユニット２２０Ｂが動き難くなることから、遊技者に対してタッチユニット２２０Ｂが動かないものであると思わせることができ、動かないと思っていたタッチユニット２２０Ｂが遊技状態に応じて加振装置２４２により振動することで遊技者を驚かせることができ、遊技者を楽しませて興趣が低下するのを抑制することができる。
【０１８４】
また、互いに離間した複数の加振装置２４２によってタッチユニット２２０Ｂを振動させるようにしているため、例えば、タッチパネル２４６において遊技者が操作する部位に近い位置の加振装置２４２を駆動させることで、強い振動を伝達させることができる。従って、タッチパネル２４６において、遊技者が操作すべき位置と異なる位置を操作した場合、遊技者に伝達される振動が異なることとなるため、遊技者に対して、操作を間違えていることを知らせることが可能となり、遊技者に対して正しい操作を行わせることができ、タッチパネル２４６を用いた操作演出を楽しませて興趣が低下するのを抑制することができる。
【０１８５】
また、互いに離間した複数の加振装置２４２を備えているため、各加振装置２４２の振動の周波数や強さ等を適宜制御することで、タッチパネル２４６の任意の位置で共振現象を発生させることができる。従って、遊技者が操作した任意の位置で共振現象が発生するように各加振装置２４２を制御することで、より一層の操作感を付与したり、遊技者を大いに驚かせたりすることができ、遊技者を楽しませて興趣が低下するのを抑制することができる。
【０１８６】
更に、タッチユニット２２０Ｂが上側から叩かれたり強く押されたりしてタッチユニット２２０Ｂに衝撃や荷重等が作用した場合、タッチユニット２２０Ｂの左右両端側がダンパ２２２を挟んでユニットケース２３１に取付けられているため、ダンパ２２２とタッチユニット２２０Ｂの撓りとによって上側からの衝撃等をある程度吸収して（減衰させて）ユニットケース２３１側へ伝達させることができる。また、ユニットケース２３１側では、ユニットケース２３１の外縁が下側の取付ベース２３０に取付けられているため、ユニットケース２３１を介したタッチユニット２２０Ｂ側からの衝撃や荷重等を、取付ベース２３０に対して広く分散させて伝達させることができる。この際に、ユニットケース２３１の下面から下方へ突出した受突部２３１ｅの外周壁と、取付ベース２３０の取付側受部２３０ａの底面において受突部２３１ｅが挿入されている筒状受部２３０ｃの内周壁との間に隙間が形成されているため、タッチユニット２２０Ｂからの衝撃や荷重等によって、ユニットケース２３１が下方へ撓んだ後に、受突部２３１ｅと筒状受部２３０ｃとが当接してユニットケース２３１から取付ベース２３０へ衝撃等が伝達されることとなり、ユニットケース２３１の撓みによって、衝撃等が更に減衰された状態で取付ベース２３０に伝達される。この受突部２３１ｅの外周壁と筒状受部２３０ｃの内周壁は、下方へ窄まっているため、受突部２３１ｅと筒状受部２３０ｃとが当接すると、受突部２３１ｅ（ユニットケース２３１）側からの衝撃や荷重等が、取付ベース２３０の取付側受部２３０ａの底面に対して斜め方向へ伝達され、取付ベース２３０の取付側受部２３０ａの底面に垂直な方向と底面に沿った方向とに分解されることとなり、取付ベース２３０を撓ませようする底面に垂直な方向（下方向）の力が小さくなって取付ベース２３０側へ伝達される。従って、タッチユニット２２０Ｂが上側から叩かれたり強く押されたりしても、複数のダンパ２２２、ユニットケース２３１、取付ベース２３０によって、その衝撃等を効果的に減衰させることができ、タッチユニット２２０Ｂや取付ベースユニット２２０Ａが破損するのを抑制することができる。
【０１８７】
［３．遊技盤］
次に、パチンコ機１の遊技盤５について、図４７乃至図５６を参照して詳細に説明する。図４７は、遊技盤５の正面図である。図４８は遊技盤５を前から見た斜視図であり、図４９は遊技盤５を後ろから見た斜視図である。図５０（ａ）は上部前側演出ユニットを前から見た斜視図であり、（ｂ）は上部前側演出ユニットを後ろから見た斜視図である。図５１は上部前側演出ユニットの正面視左側部分を分解して前から見た分解斜視図であり、図５２は上部前側演出ユニットの正面視左側部分を分解して後ろから見た分解斜視図である。また図５３は上部前側演出ユニットの左上装飾体駆動部を分解して後ろから見た分解斜視図であり、図５４乃至図５６は上部前側演出ユニットの動きの説明に供する説明図である。
【０１８８】
本実施形態の遊技盤５は、図示するように、遊技者がハンドルユニット５００のハンドルレバー５０４を操作することで遊技球が打込まれる遊技領域５ａの外周を区画し外形が正面で略矩形状とされた前構成部材１０００と、前構成部材１０００の後側に取付けられており遊技領域５ａの後端を区画する板状の遊技パネル１１００と、遊技パネル１１００の後側下部に取付けられている基板ホルダ１２００と、基板ホルダ１２００の後面に取付けられており遊技球を遊技領域５ａ内へ打込むことで行われる遊技内容を制御する主制御基板を収容している主制御基板ボックス１３００と、を備えている。遊技パネル１１００の前面において遊技領域５ａ内となる部位には、遊技球と当接する複数の障害釘が所定のゲージ配列で植設されている（図示は省略）。
【０１８９】
また、遊技盤５は、主制御基板からの制御信号に基づいて所定の遊技状況を表示し前構成部材１０００の左下隅に遊技者側へ視認可能に取付けられている機能表示ユニット１４００と、遊技パネル１１００の後側に前側から視認可能に取付けられている中央液晶表示装置１５００と、中央液晶表示装置１５００の後側に取付けられている周辺制御ユニット１６００と、遊技パネル１１００の前面に取付けられる表ユニット２０００と、遊技パネル１１００の後面に取付けられる裏ユニット３０００と、を更に備えている。
【０１９０】
［３−１．前構成部材］
前構成部材１０００は、正面視の外形が略正方形とされ、内形が略円形状に前後方向へ貫通しており、内形の内周によって遊技領域５ａの外周を区画することができる。この前構成部材１０００は、正面視で左右方向中央から左寄りの下端から時計回りの周方向へ沿って円弧状に延び正面視左右方向中央上端を通り過ぎて右斜め上部まで延びた外レール１００１と、外レール１００１に略沿って前構成部材１０００の枠内の内側に配置され正面視左右方向中央下部から正面視左斜め上部まで円弧状に延びた内レール１００２と、内レール１００２の下端の正面視右側で遊技領域５ａの最も低くなった位置に形成されており後方へ向かって低くなるように傾斜しているアウト誘導部１００３と、アウト誘導部１００３の正面視右端から前構成部材１０００の右辺付近まで右端側が僅かに高くなるように直線状に傾斜している右下レール１００４と、右下レール１００４の右端から前構成部材１０００の右辺に沿って外レール１００１の上端の下側まで延びており上部が前構成部材１０００の枠内の内側へ湾曲している右レール１００５と、右レール１００５の上端と外レール１００１の上端とを繋いでおり外レール１００１に沿って転動して来た遊技球が当接する衝止部１００６と、を備えている。
【０１９１】
また、前構成部材１０００は、内レール１００２の上端に回動可能に軸支され、外レール１００１との間を閉鎖するように内レール１００２の上端から上方へ延出した閉鎖位置と正面視時計回りの方向へ回動して外レール１００１との間を開放した開放位置との間でのみ回動可能とされると共に閉鎖位置側へ復帰するように図示しないバネによって付勢された逆流防止部材１００７を、備えている。
【０１９２】
［３−２．遊技パネル］
遊技パネル１１００は、外周が枠状の前構成部材１０００の内周よりもやや大きく形成されていると共に透明な合成樹脂で形成されている平板状のパネル板１１１０と、パネル板１１１０の外周を保持しており前構成部材１０００の後側に取付けられると共に後面に裏ユニット３０００が取付けられる枠状のパネルホルダ１１２０と、を備えている。遊技パネル１１００のパネル板１１１０は、遊技領域５ａ内において最も低い位置となる部位に前後に貫通しているアウト口１１１１が形成されている。また、パネル板１１１０には、前後に貫通しており表ユニット２０００を取付けるための取付口（図示は省略）が複数形成されている。
【０１９３】
遊技パネル１１００を前構成部材１０００の後側に取付けた状態では、前構成部材１０００のアウト誘導部１００３の後側にパネル板１１１０のアウト口１１１１が開口した状態となる。これにより、遊技領域５ａの下端へ流下した遊技球が、アウト誘導部１００３によって後側のアウト口１１１１へ誘導され、アウト口１１１１を通って遊技パネル１１００の後側へ排出することができる。
【０１９４】
［３−３．基板ホルダ］
基板ホルダ１２００は、上方及び前方が開放された横長の箱状に形成されており、底面が左右方向中央へ向かって低くなるように傾斜している。この基板ホルダ１２００は、遊技盤５に組立てた状態では、遊技パネル１１００の後側に取付けられている裏ユニット３０００の下部を下側から覆うことができる。これにより、遊技パネル１１００の後側へ排出された遊技球を全て受けることができ、底面に形成された排出部（図示は省略）から下方へ排出することができる。
【０１９５】
［３−４．中央液晶表示装置］
中央液晶表示装置１５００は、正面視において遊技領域５ａの中央に配置されており、遊技パネル１１００の後側に裏ユニット３０００の裏箱３０１０を介して取付けられている。詳述すると、中央液晶表示装置１５００は、裏箱３０１０の後壁の略中央の後面に対して、着脱可能に取付けられている。この中央液晶表示装置１５００は、遊技盤５を組立てた状態で、枠状のセンター役物２５００の枠内を通して、前側（遊技者側）から視認することができる。
【０１９６】
［３−５．周辺制御ユニット］
周辺制御ユニット１６００は、中央液晶表示装置１５００の後面に取付けられている。周辺制御ユニット１６００は、図示は省略するが、主制御基板からの制御信号に基づいて遊技者に提示する演出を制御する周辺制御基板と、中央液晶表示装置１５００に表示される演出画像の表示を制御する画像表示制御基板と、演出画像、演出サウンド、演出制御プログラム、等が記憶されたＲＯＭを備えているＲＯＭ基板と、を備えている。
【０１９７】
［３−６．表ユニット］
表ユニット２０００は、遊技パネル１１００（パネル板１１１０）の前面から前方（遊技領域５ａ内）へ突出するようにパネル板１１１０に取付けられており、遊技領域５ａ内において遊技球を受入可能とされている一般入賞口２００１、第一始動口２００２、第二始動口２００３、及び大入賞口２００４と、遊技球の通過を検知するゲートセンサ２００５と、ゲートセンサ２００５での遊技球の検知に応じて開閉し第二始動口２００３を閉鎖している第二始動口扉２００６と、第一始動口２００２及び第二始動口２００３への遊技球の受入れに応じて開閉し大入賞口２００４を閉鎖している大入賞口扉２００７と、を備えている。一般入賞口２００１及び第一始動口２００２は、閉鎖されることなく遊技領域５ａ内で常時開口している。
【０１９８】
また、表ユニット２０００は、遊技パネル１１００の前面においてアウト口１１１１の真上に取り付けられ三つの一般入賞口２００１と第一始動口２００２とを備えている始動口ユニット２１００と、遊技パネル１１００の前面において始動口ユニット２１００の左やや上側に取付けられており一つの一般入賞口２００１を備えているサイドユニット２２００と、遊技パネル１１００の前面において始動口ユニット２１００の右側に取付けられており第二始動口２００３及び大入賞口２００４を備えているアタッカユニット２３００と、遊技パネル１１００の前面において始動口ユニット２１００、サイドユニット２２００、及びアタッカユニット２３００の上側に取付けられておりゲートセンサ２００５を備えている枠状のセンター役物２５００と、を備えている。
【０１９９】
［３−６ａ．始動口ユニット］
始動口ユニット２１００には、遊技領域５ａの左右方向中央となりアウト口１１１１の直上となる位置に第一始動口２００２が上方へ開口するように備えられている。また、始動口ユニット２１００には、第一始動口２００２の右側に一つの一般入賞口２００１が、第一始動口２００２の右側に二つの一般入賞口２００１が、夫々上方へ開口するように備えられている。三つの一般入賞口２００１は、第一始動口２００２よりも低い位置に備えられている。これら一般入賞口２００１及び第一始動口２００２に受入れられた遊技球は、遊技パネル１１００の後側へ誘導されて下方へ排出される。
【０２００】
［３−６ｂ．サイドユニット］
サイドユニット２２００には、斜め左上へ開口するように一般入賞口２００１が備えられている。また、サイドユニット２２００は、一般入賞口２００１の左上に遊技パネル１１００の前面から前方へ突出していると共に右端側が低くなるように傾斜しており遊技球が転動可能な転動棚２２０１を備えている。サイドユニット２２００を遊技盤５に取付けた状態では、前構成部材１０００の内レール１００２の内周に沿うように位置しており、一般入賞口２００１が第一始動口２００２よりも高い位置となると共に、転動棚２２０１の左端が内レール１００２に近接した状態となる。これにより、内レール１００２の内周に沿うように流下してきた遊技球を、転動棚２２０１によって遊技領域５ａの中央側へ寄せることができる。サイドユニット２２００の一般入賞口２００１に受入れられた遊技球は、遊技パネル１１００の後側へ誘導されて下方へ排出される。
【０２０１】
［３−６ｃ．アタッカユニット］
アタッカユニット２３００は、遊技球の外径の４〜６倍の長さで左右に延びており前方へ開口している大入賞口２００４と、大入賞口２００４の右端付近の上側で上方に開口している第二始動口２００３と、大入賞口２００４の下辺に沿って回動可能とされており大入賞口２００４を閉鎖可能な左右に延びた平板状の大入賞口扉２００７と、前後に進退し第二始動口２００３を閉鎖可能な平板状の第二始動口扉２００６と、を備えている。
【０２０２】
アタッカユニット２３００は、遊技パネル１１００の前面よりも前方（遊技領域５ａ内）へ突出しており、第二始動口２００３に受入れられた（通過した）遊技球を、大入賞口２００４の上方において、大入賞口２００４の右端付近から大入賞口２００４の左右中央よりも左側まで誘導する第二始動口通路２３１０と、第二始動口２００３の上方で遊技パネル１１００の前面よりも前方へ突出しており遊技球が一つのみ追加可能とされた通路入口２３１１と、通路入口２３１１の右端側と第二始動口２００３の右端側とを繋ぐ平板状の連結壁２３１２と、を備えている。
【０２０３】
アタッカユニット２３００は、第二始動口扉２００６が第二始動口２００３を閉鎖している状態では、通路入口２３１１を通過した遊技球が、第二始動口扉２００６の上面に流下する。この第二始動口扉２００６は、左側が低くなるように傾斜している。これにより、第二始動口扉２００６上に流下した遊技球は、第二始動口扉２００６上を左方へ転動することとなり、第二始動口扉２００６の左端から第二始動口通路２３１０の外周上面に沿って更に左方へ転動し、第二始動口通路２３１０の外周上面左端から下方へ放出されることとなる。
【０２０４】
一方、第二始動口扉２００６が後退して第二始動口２００３が開放されている時には、通路入口２３１１を通過した遊技球が、第二始動口２００３を通って第二始動口通路２３１０内へ進入し、第二始動口２００３に遊技球が受入れられた状態となる。そして、第二始動口通路２３１０に進入した遊技球は、第二始動口通路２３１０によって左側へ誘導させ、第二始動口通路２３１０の左端部付近から遊技パネル１１００の後側へ誘導されて下方へ排出される。
【０２０５】
また、大入賞口扉２００７が大入賞口２００４を閉鎖している状態では、大入賞口扉２００７が遊技パネル１１００の前面に平行でその前面から僅かに突出しているだけの状態であるため、上方から大入賞口２００４へ流下してきた遊技球は、大入賞口２００４に受入れられることなく大入賞口扉２００７の前側を通って大入賞口２００４よりも下方へ流下することとなる。
【０２０６】
一方、大入賞口扉２００７の上端が前方へ移動するように大入賞口扉２００７が回動して大入賞口２００４が開放されている時には、大入賞口２００４へ流下してきた遊技球が、大入賞口扉２００７に当接し、大入賞口扉２００７によって後方の大入賞口２００４へ誘導されて大入賞口２００４に受入れられることとなる。従って、第二始動口通路２３１０の外周上面左端から下方へ放出された遊技球は、大入賞口２００４が開放されている時には極めて高い確率で大入賞口２００４に受入れられる。
【０２０７】
［３−６ｄ．センター役物］
センター役物２５００は、全体が枠状に形成されており、略全周に亘って遊技パネル１１００の前面よりも前方（遊技領域５ａ内）へ突出している前方突出部２５０１と、前方突出部２５０１の外周面の正面視左側に開口しており遊技球が進入可能なワープ入口２５０２と、ワープ入口２５０２に進入した遊技球をワープ入口２５０２よりも下側で枠内へ誘導するワープ通路２５０３と、ワープ通路２５０３の下端に開口しており遊技球が通過可能なワープ出口２５０４と、ワープ出口２５０４から放出された遊技球が転動可能とされており左右に延びていると共に左右方向中央が低くなるように湾曲しているステージ２５０５と、ステージ２５０５の左右方向中央の後側で下側に開口しておりステージ２５０５上の遊技球を下側に放出可能なチャンス出口２５０６と、を備えている。
【０２０８】
センター役物２５００は、前方突出部２５０１の外周面における上部の左右方向中央より右側の部位が、遊技領域５ａの外周（外レール１００１）との間に遊技球が一つのみ流通可能な間隔を開けて遊技パネル１１００に取付けられる。これにより、センター役物２５００を遊技盤５に組立てた状態では、センター役物２５００によって遊技領域５ａが左右に分割された状態となる。
【０２０９】
センター役物２５００のステージ２５０５は、チャンス出口２５０６の前側となる左右方向中央の部位の左右両側に、前方へ向かって低くなるように傾斜しており遊技球を前方へ放出可能な放出部２５０５ａを備えている。
【０２１０】
センター役物２５００を遊技盤５に組立てた状態では、ステージ２５０５が、遊技パネル１１００の前面よりも後側に位置していると共に、チャンス出口２５０６が、遊技パネル１１００の前面と前後方向が略同じ位置に開口している。また、センター役物２５００を遊技盤５に組立てた状態では、チャンス出口２５０６が、始動口ユニット２１００の第一始動口２００２の直上に位置している。これにより、チャンス出口２５０６から遊技球が放出されると、極めて高い確率で第一始動口２００２に受入れられる。
【０２１１】
また、センター役物２５００は、前方突出部２５０１内において正面視右側の上方位置に上下方向に延びるように形成され、外レール１００１に沿って転動し衝止部１００６に当接した遊技球をゲートセンサ２００５に誘導する第一誘導通路２５１０と、前方突出部２５０１内において正面視右辺に沿って配設された帯状の透明装飾板２５１１に覆われた第二誘導通路（図示は省略）とが備えられている。第二誘導通路は、第一誘導通路２５１０と連通し、前方突出部２５０１内において正面視右辺に沿って形成されており、第一誘導通路２５０１に誘導されてゲートセンサ２００５を通過した遊技球は、この第二誘導通路に誘導されて流下しアタッカユニット２３００の通路入口２３１１の上方に設けられた第二誘導通路の排出口２５１２から排出される。
【０２１２】
［３−７．裏ユニット］
裏ユニット３０００は、遊技パネル１１００の後側に取付けられ前方が開放された箱状の裏箱３０１０と、裏箱３０１０内の前端付近に取付けられている発光装飾ユニット（図示は省略）と、発光演出ユニットの後側で裏箱３０１０内の上部に取付けられている上部前側演出ユニット３１００と、上部前側演出ユニット３１００の後側で裏箱３０１０内の上部に取付けられている上部後側演出ユニット３２００と、裏箱３０１０内の下部に取付けられている下演出ユニット３３００と、を備えている。
【０２１３】
裏箱３０１０は、後壁に貫通した開口部を有しており、その開口部を閉鎖するように中央液晶表示装置１５００が後面に着脱可能に取付けられる。また、発光装飾ユニットは、遊技盤５に組立てた状態で、遊技領域５ａ内におけるセンター役物２５００の外周の左右に形成されている。この発光装飾ユニットは、前方へ光を照射可能な複数のＬＥＤを備えており、遊技状態に応じてＬＥＤを適宜発光させることで、遊技領域５ａ内を発光装飾させることができる。
【０２１４】
［３−７ａ．上部前側演出ユニット］
上部前側演出ユニット３１００は、図５１乃至図５６に示すように、正面視センター役物２５００の枠内で中央液晶表示装置１５００の上側に配置されており立体的な装飾が施された左右方向に延びる上装飾体３１０１の正面視左側部分であって、当該上装飾体３１０１全体の２／３程度の部位を構成する左上装飾体３１０２と、裏箱３０１０内の正面視左上端部に固定され、左上装飾体３１０２を前後方向と平行な軸周りに回転させる左上装飾体駆動部３１０３と、当該上装飾体３１０１の右側部分であって、当該上装飾体３１０１全体の１／３程度の部位を構成する右上装飾体３１０４と、裏箱３０１０内の正面視右上端部に固定され、右上装飾体３１０４を前後方向と平行な軸周りに回転させる右上装飾体駆動部３１０５と、を備えている。
【０２１５】
左上装飾体３１０２は、当該左上装飾体３１０２の右側部分であって、当該左上装飾体３１０２の１／４程度の部位を構成する第一左上装飾体３１１０と、左上装飾体３１０２の左側部分であって、当該左上装飾体３１０２の３／４程度の部位を構成する第二左上装飾体３１１１とから構成される。
【０２１６】
第一左上装飾体３１１０は、上装飾体３１０１の前面の一部を構成し所定パターンで着色されたプラスチック等の透明材料から形成されると共に立体的な装飾が施され、後方が開放された箱状の第一左上装飾部材３１２１と、第一左上装飾部材３１２１の後方を塞ぐ第一左上装飾体蓋体３１２１と、第一左上装飾部材３１２０及び第一左上装飾体蓋体３１２１間に配置されＬＥＤが取り付けられた第一左上装飾体装飾基板（図示は省略）と、を備えている。
【０２１７】
そして第一左上装飾体蓋体３１２１には、第二左上装飾体３１１１方向に突出した一定幅の連結部３１２２が設けられている。この連結部３１２２の先端部は半円状に形成されており、当該半円の中心位置には所定径の貫通孔３１２２ａａを有する円筒部３１２２ａが設けられている。また連結部３１２２における先端部近傍の側部にはケーブル保持部３１２２ｂが設けられており、第一左上装飾体３１１０内に設けられた上述の第一左上装飾体装飾基板と、後述のように第二左上装飾体３１１１内に設けられた第二左上装飾体装飾基板との間を接続するフレキシブルフラットケーブル３１２３がこのケーブル保持部３１２２ｂに保持されている。
【０２１８】
また第二左上装飾体３１１１は、上装飾体３１０１の前面の一部を構成し所定パターンで着色されたプラスチック等の透明材料から形成されると共に立体的な装飾が施され、後方が開放された箱状の第二左上装飾部材３１３０と、第二左上装飾部材３１３０の後方を塞ぐ第二左上装飾体蓋体３１３１と、第二左上装飾部材３１３０及び第二左上装飾体蓋体３１３１間に配置されＬＥＤが取り付けられた第二左上装飾体装飾基板（図示は省略）と、を備えている。
【０２１９】
そして第二左上装飾体蓋体３１３１には、前後方向と平行に所定長さの軸部３１３１ａが左端部に形成されており、後述のようにこの軸部３１３１ａが左上装飾体駆動部３１０３に保持される。また第二左上装飾体蓋体３１３１には、第二左上装飾体３１１の長手方向と平行な空間３１３２を形成する壁部３１３３が設けられ、当該空間３１２１内にほぼ長方形状のスライダ３１３４が嵌め込まれている。
【０２２０】
スライダ３１３４の後面側の右端部には、円柱状の連結突起３１３４ａが設けられている。そしてこの連結突起３１３４ａが第一左上装飾体３１１０の第一左上装飾体蓋体３１２１に設けられた円筒部３１２２ａの貫通孔３１２２ａａに嵌め込まれ、さらに当該貫通孔３１２２ａａよりも外径が大きいワッシャ部を有するねじ３１３５が当該円筒部３１３３ａの先端側からスライダ３１３４の連結突起３１３４ａの先端部に螺着されることにより、第一左上装飾体３１１０がスライダ３１３４の連結突起３１３４ａの中心軸を中心として回転自在に第二左上装飾体３１１１に連結されている。
【０２２１】
またスライダ３１３４の第一左上装飾体蓋体３１３１と対向する側の面の右端部には、円柱形状の所定高さのガイド突起３１３４ｂが設けられている。そしてこのガイド突起３１３４ｂは、当該ガイド突起３１３４ｂと対応させて第一左上装飾体３１１１の長手方向と平行に第一左上装飾体蓋体３１３１に設けられた直線状のガイド開口３１３１ｂに嵌め込まれており、これによりスライダ３１３４が壁部３１３３により形成される空間３１３２内を、ガイド開口３１３１ｂにガイドされながら第一左上装飾体３１１１の長手方向（第一左上装飾体３１１０に近接する方向及び第一左上装飾体３１１０から離反する方向）にスライド移動することができる。
【０２２２】
さらにスライダ３１３４のガイド突起３１３４ｂの近傍にはばね係合部３１３４ｃが設けられており、このばね係合部３１３４ｃに圧縮コイルばね３１３６の一端部が係合されると共に、圧縮コイルばね３１３６の他端部は第一左上装飾体蓋体３１３１に設けられたばね係合突起３１３１ｃに係合されている。これにより空間３１３２内をスライドするスライダ３１３４に対して圧縮コイルばね３１３６により常に正面視左方向の付勢力を与え、この付勢力によって、第一左上装飾体３１０１が水平状態にありスライダ３１３４や第一左上装飾体３１１０に重力等により正面視右方向の外力が与えられない状態のときに、スライダ３１３４を空間３１３２内の正面視左端側に設定された所定の基準位置（ホームポジション）に位置させ得るようになされている。
【０２２３】
さらにスライダ３１３４におけるスライド方向の長さ、及び、第一左上装飾体３１１０の第一左上装飾体蓋体３１２１の連結部３１２２の長さは、スライダ３１３４が上記空間３１３２内のかかる基準位置に位置した状態において第一左上装飾体３１１０の第一左上装飾部材３１２１の正面視左側の側面と、第二左上装飾体３１１１の第二左上装飾部材３１３０の正面視右側の側面とが当接するように選定されている。これにより第一左上装飾体３１０１がその通常状態である水平状態にあるときに、第一左上装飾体３１１０の第一左上装飾部材３１２０と第二左上装飾体３１１１の第二左上装飾部材３１３０とを一体化させ得るようになされている。
【０２２４】
また第二左上装飾体蓋体３１３１には、壁部３１３３により形成された空間３１３２を第二左上装飾体蓋体の後側から覆うように第二左上装飾体蓋体カバー３１３７が取り付けられている。この第二左上装飾体蓋体カバー３１３７の正面視右端部にはほぼＹ字状に後側に窪んだＹ字状凸部３１３７ａが設けられており、スライダ３１３４と連結された第一左上装飾体３１１０の第一左上装飾体蓋部３１２１の連結部３１２２がこのＹ字状凸部３１３７ａと第二装飾体部材蓋体３１３１とで挟まれる空間内を、第二左上装飾体蓋体カバー３１３７と干渉することなく移動できるようにされている。
【０２２５】
この場合において、第二左上装飾体蓋体カバー３１３７のＹ字状凸部３１３７ａの下側凸部３１３７ａａの長さは、スライダ３１３４がその可動範囲の正面視最右端位置（スライダ３１３４のガイド突起３１３４ｂが第二左上装飾体蓋体３１３１のガイド開口３１３１ｂの正面視右端に当接する位置）の近傍にまで到達した状態において、第一左上装飾体３１１０の第一左上装飾体蓋部１３２１の連結部３１２２のうちの少なくとも半円状の先端部よりも根元側の部分が第二左上装飾体蓋体カバー３１３７のＹ字状凸部３１３７ａから正面視右側に飛び出した状態となるように選定されている。
【０２２６】
これによりスライダ３１３４が、その可動範囲の正面視左端に設定された上述の基準位置に位置した状態から上述の最右端位置までスライド移動する際、基準位置から最右端位置近傍までの間は、第一左上装飾体３１１０の第一左上装飾体蓋体３１２１の連結部３１２２の下側の側面が第二左上装飾体蓋体カバー３１３７のＹ字状凸部３１３７ａの下側の内側面に支えられるために第一左上装飾体３１１０の可動範囲がスライダ３１３４と同じ第二左上装飾体３１１１の長手方向にのみ規制されるものの、スライダ３１３４がその位置からさらに可動範囲の最右端位置方向に移動したときに、かかる第一左上装飾体蓋体３１２１の連結部３１２２の下側の側面が第二左上装飾体蓋体カバー３１３７のＹ字状凸部３１３７から外れる結果、かかる連結部３１２２が開放されて、第一左上装飾体３１１０がスライダ３１３４の連結突起３１３４ａを中心として所定範囲内で自由に揺動し得るようになされている。なお、このときの第一左上装飾体３１１０の揺動は、第二左上装飾体３１１１の軸体３１３１ａを中心として当該第二左上装飾体３１１１と一体に回動する仮想的な平面上と同じ平面上で行われる。
【０２２７】
また、第二左上装飾体蓋体カバー３１３７のＹ字状凸部３１３７ａの上側凸部３１３７ａｂの長さは、下側凸部３１３７ａａよりも短く形成されており、これによりスライダ３１３４が例えば最右端位置から上述の基準位置にまで戻る際、スライダ３１３４のスライド移動に伴って第一左上装飾体３１１０の連結部３１２２を第二左上装飾体蓋体カバー３１３７のＹ字状凸部３１３７ａと第二装飾体部材蓋体３１３１とで挟まれる空間内に引き戻すときに、連結部３１２２が引き戻された勢いで第一左上装飾体３１１０が第二左上装飾体３１１１の長手方向以上に跳ね上がり、その勢いで連結部３１２２が第二左上装飾体蓋体カバー３１３７のＹ字状凸部３１３７ａの上側凸部３１３７ａｂが破損したり、当該上側凸部３１３７ａｂに連結部３１２２ａが引っ掛かって当該連結部３１２２ａを引き戻し難くなるのを有効に防止し得るようになされている。
【０２２８】
さらに、このように第二左上装飾体蓋体カバー３１３７のＹ字状凸部３１３７ａの上側凸部３１３７ａｂを設けることにより、例えば、当該Ｙ字状凸部３１３７ａの下側凸部３１３７ａａが破損した場合においても、第二左上装飾体蓋体カバー３１３７のＹ字状凸部３１３７ａと第二装飾体部材蓋体３１３１とで挟まれる空間内に引き戻した第一左上装飾体３１１０の連結部３１２２の上側の側面を当該Ｙ字状凸部３１３７ａの上側凸部３１３７ａｂの内側面で支えることで第一左上装飾体３１１０の可動範囲をスライダ３１３４と同じ第二左上装飾体３１１１の長手方向にのみ規制することができるようになされている。
【０２２９】
さらに第一左上装飾体蓋体３１３１には、細長いトラック形状のスライダ駆動部材３１３８がその長手方向の一端部を中心として回転自在にねじ止めされている。そして、このスライダ駆動部材３１３８には、その長手方向の他端部における第二左上装飾体蓋体カバー３１３７との対向面側に所定高さの第一係合突起３１３８ａが突出形成されており、この第一係合突起３１３８ａが第二左上装飾体蓋体カバー３１３７に円弧状に形成された開口部３１３７ｂを介してスライダ３１３４の正面視左端部近傍に第二左上装飾体３１１１の長手方向と垂直に形成された開口部３１３４ｃに嵌め込まれている。
【０２３０】
またスライダ駆動部材３１３８における左上装飾体駆動部３１０３との対向面であって第二左上装飾体蓋体３１３１にねじ止めされた一端部の近傍には所定高さの第二係合突起３１３８ｂが突出形成されており、この第二係合突起３１３８ｂが後述する左上装飾体駆動部３１０３の左上装飾体駆動部筐体本体３１４０に設けられた所定形状の開口部３１４０ｂに嵌め込まれている。そして第二係合突起３１３８ｂの先端部には、かかる左上装飾体駆動部筐体本体３１４０の開口部３１４０ｂの幅よりも幅広のワッシャ部を有するねじ３１３９が螺着されている。
【０２３１】
一方、左上装飾体駆動部３１０３は、図５１乃至図５３に示すように、裏箱３０１０内の正面視左上端部に固定され、左上装飾体駆動部筐体本体３１４０及び左上装飾体駆動部筐体蓋体３１４１から構成される左上装飾体駆動部筐体３１４２を備える。そして左上装飾体駆動部筐体３１４２の内部には、左上装飾体駆動部筐体本体３１４０に固定されたモータ３１４３の回転軸３１４４に同軸に取り付けられたギア３１４５と、当該ギア３１４５と歯合するよう配置されたギア３１４６と、当該ギア３１４６と歯合するよう配置され、径方向に突出する突出部３１４７ａの先端部に前後方向と平行な中心軸を中心として回転自在にローラ３１４８が配設された第一欠歯ギア３１４７と、径方向に突出する突出部３１４９ａに径方向の長穴３１４９ａａが形成され当該長穴３１４９ａａ内に第一欠歯ギア３１４７のローラ３１４８が嵌め込まれた第二欠歯ギア３１４９と、左上装飾体駆動部筐体本体３１４０内部に形成された軸体支持部３１４０ａの先端面と当接させて配置され第二欠歯ギア３１４９と歯合するギア３１５０とが収納されている。
【０２３２】
またギア３１５０の中心部には、夫々前後方向に同軸に突出する円筒形状の軸体係合部３１５０ａ、３１５０ｂが設けられており、前方向に突出する軸体係合部３１５０ａが軸体支持部３１４０ａに形成された貫通孔３１４０ａａに回転自在に嵌め込まれると共に、後方向に突出する軸体係合部３１５０ｂが左上装飾体駆動部筐体蓋体３１４１に形成された凹部３１４１ａに回転自在に嵌め込まれている。
【０２３３】
そして、これらギア３１５０の各軸体係合部３１５０ａ、３１５０ｂには、左上装飾体駆動部筐体３１４２の軸体支持部３１４０ａの貫通孔３１４１ａａを挿通する第一左上装飾体３１１の第一左上装飾体蓋体３１３１の軸部３１３１ａの先端部が固定した状態に嵌め込まれている。これによりモータ３１４３を回転駆動させてギア３１４５を正面視時計回りに回転させることによって、ギア３１４５、ギア３１４６、第１の欠歯ギア３１４７及び第二欠歯ギア３１４９を介して正面視時計回りの回転力をギア３１５０に与え、当該回転力によって左上装飾体３１０２を第二左上装飾体３１１１の第二左上装飾体蓋体３１３１の軸部３１３３を中心として回転させ得るようになされている。
【０２３４】
また第二欠歯ギア３１４９には、当該第二歯合ギア３１４９を正面視時計回り方向に付勢するねじりコイルばね３１５１が取り付けられており、これにより左上装飾体３１０２を、第二左上装飾体蓋体３１３１の軸部３１３１ａを中心として正面視右端側を下方向に下げる方向に回転した状態から前後方向と平行な初期状態に戻すときに、ねじりコイルばね３１５１の付勢力によってモータ３１４３の負荷を低減させ得るようになされている。
【０２３５】
さらに左上装飾体駆動部筐体３１４０の正面視右側下端部には、上述した第二左上装飾体ユニット３１１１のスライダ駆動部材３１３８の第二係合突起３１３８ｂが嵌め込まれる開口部３１４０ｂが設けられており、上述したスライダ駆動部材３１３８の第二係合突起３１３８ｂは、この開口部３１４０ｂに嵌め込まれている。これにより左上装飾体３１０２が水平状態から正面視時計回り方向に回動するときや、左上装飾体３１０２が正面視時計回り方向に回動した状態から水平状態に戻るときに、スライダ駆動部材３１３８の第二係合突起３１３８ｂがこの開口部３１４０ｂ内を当該開口部３１４０ｂの形状に沿って移動する。
【０２３６】
この場合、かかる開口部３１４０ｂは、図５４乃至図５６に示すように、当該開口部３１４０ｂの上段部を構成し後側から見て鉛直方向に対して僅かに時計回り方向に傾いた第一傾斜部３１４０ｂａと、当該第一傾斜部３１４０ｂａと連通し後側から見て鉛直方向に対して30度程度反時計回り方向に傾いた第二傾斜構成部３１４０ｂｂと、当該第二傾斜部３１４０ｂｂと連通し後側から見て鉛直方向に対して時計回り方向に60度程度傾いた第三傾斜部３１４０ｂｃとから構成されている。
【０２３７】
これにより、左上装飾体３１０２が図５４のように水平な状態から図５５のように正面視時計回り方向に所定角度（例えば60度程度であり、以下、これをスライド始動角度と呼ぶ）だけ回動するまでの間は、スライダ駆動部材３１３８の第二係合突起３１３８ｂが左上装飾体駆動部筐体３１４０の開口部３１４０ｂの側壁面から力を受けず、この後、左装飾体３１０２がさらに正面視時計回り方向に傾き角が90度となるまで（つまり左上装飾体３１０２が鉛直方向に傾くまで）回動する間は、左上装飾体３１０２の傾き角が大きくなるにつれてスライダ駆動部材３１３８がより大きく正面視反時計回り方向に回動するように当該スライダ駆動部材３１３８の第二係合突起３１３８ｂの移動方向をガイドし、さらに左上装飾体３１０２が正面視時計回り方向に90度以上回動する間は、左上装飾体３１０２の傾き角が大きくなるにつれてスライダ駆動部材３１３８が正面視時計回り方向により大きく回動するように当該スライダ駆動部材３１３８の第二係合突起３１３８ｂの移動方向をガイドできるようになされている。
【０２３８】
かくして、左上装飾体３１０２が図５４のような水平状態（初期状態）から図５５のように正面視時計回りに回動する場合、左上装飾体３１０２の傾き角が上述のスライド始動角度となるまでの間は、第二左上装飾体３１１１のスライダ３１３４がスライダ駆動部材３１３８からの力を受けることなく、その可動範囲の左端側に設定された基準位置に位置し、その後、左上装飾体３１０２がさらに正面視時計回り方向に回動すると、正面視時計回り方向に回動するスライダ駆動部材３１３８からの力を受けてスライダ３１３４が正面視右方向にスライド移動し、左上装飾体３１０２が水平状態から90度回動した段階でスライダ３１３４がその可動範囲の最右端位置に位置し、その後さらに左上装飾体３１０２が回動すると、正面視反時計回り方向に回動するスライダ駆動部材３１３８からの力を受けてスライダ３１３４が正面視左方向にスライド移動する。
【０２３９】
そして、このようなスライダ３１３４のスライド移動に伴って、左上装飾体３１０２が図５４のような水平状態から上述のスライド始動角度に傾くまでの間は、第一左上装飾体３１１０及び第二左上装飾体３１１１が、図５４及び図５５のように第一左上装飾体３１１０の第一左上装飾部材３１２１の正面視左側の側面と、第二左上装飾体３１１１の第二左上装飾部材３１３０の正面視右側の側面とが当接した状態を維持しながら一体に回動し、この後、左上装飾体３１０２がさらに正面視時計回り方向に回動すると、第一左上装飾体３１１０がスライダ３１３４に押されて第二左上装飾体３１１１から離反する方向に移動し、左上装飾体３１０２が水平状態から90度回動した段階で第一左上装飾体３１１０が第二左上装飾体３１１１から最も離反した状態となる。また、その後左上装飾体３１０２がさらに正面視時計回り方向に回動すると、第一左上装飾体３１１０がスライダ３１３４に引っ張られて第二左上装飾体３１１１に近接する方向に移動することとなる。
【０２４０】
この場合において、上述のように、スライダ３１３４が基準位置に位置した状態からその可動範囲の最右端位置までスライドする際、基準位置から最右端位置近傍までの間は、第一左上装飾体３１１０の第一左上装飾体蓋体３１２１の連結部３１２２の下側の側面が第二左上装飾体蓋体カバー３１３７のＹ字状凸部３１３７ａの下側の内側面に支えられるために第一左上装飾体３１１０の可動範囲がスライダ３１３４と同じ第二左上装飾体３１１１の長手方向のみに規制されるものの、スライダ３１３４がその位置からさらに可動範囲の最右端位置方向に移動すると、かかる第一左上装飾体蓋体３１２１の連結部３１２２の下側の側面が第二左上装飾体蓋体カバー３１３７のＹ字状凸部３１３７ａａの下側の内側面と当接しなくなる結果、かかる連結部３１２２が開放される。
【０２４１】
このため左上装飾体３１０２の傾き角が水平状態から90度近くまでの所定の角度（以下、これを開放角度と呼ぶ）となるまでは第一左上装飾体３１１０及び第二左上装飾体３１１１が一体に回動し、当該開放角度を超えると、第一左上装飾体３１１０が開放されて当該第一左上装飾体３１１０がスライダ３１３４の連結突起３１３４ａの中心軸を中心として自在に揺動できるようになる（図５６参照）。この際、第一左上装飾体３１１０は、第二左上装飾体３１１１から離れた位置に位置しているため、第二左上装飾体３１１１に邪魔されることなく、慣性力及び重力のみに基づいて自然な状態で揺動することができる。
【０２４２】
なお本実施形態の場合、第一左上装飾体３１１０及び第二左上装飾体３１１１が中央液晶表示装置１５００における演出画像を表示する表示面の前方の範囲内で回動し、第一左上装飾体３１１０が中央液晶表示装置１５００のかかる表示面の前方の範囲内で揺動できるように、第一左上装飾体３１１０及び第二左上装飾体３１１１の長手方向の長さやその回動範囲が選定されている。ここで、「中央液晶表示装置１５００の前側領域の範囲内」とは、中央液晶表示装置１５００の表示面の前方であって、遊技者から見て中央液晶表示装置１５００の表示面と、回動又は揺動する第一左上装飾体３１１０及び第二左上装飾体３１１１の全体とが常に重なる範囲内を指す。
【０２４３】
本パチンコ機１では、このような構成を採用することにより、中央液晶表示装置１５００に表示された演出画像を目視する遊技者の視野内に、常に、正面視時計回り方向や正面視反時計回り方向に回動する第一左上装飾体３１１０及び第二左上装飾体３１１１の全体が入り込むこととなり、第一左上装飾体３１１０及び第二左上装飾体３１１１の動きを目立たせ、遊技者を第一装飾体及び第二装飾体の動きに注目させることができるようになされている。
【０２４４】
他方、右上装飾体３１０４は、上装飾体３１０１の前面の一部を構成し所定パターンで着色されたプラスチック等の透明材料から形成された、後側が開放された箱状の右上装飾部材３１６０と、右上装飾部材３１６０の後側を塞ぐ右上装飾体蓋体３１６１と、右上装飾部材３１６０及び右上装飾体蓋体３１６１間に配置されＬＥＤが取り付けられた図示しない右上装飾体装飾基板と、を備えている。右上装飾体蓋体３１６１には、前後方向と平行に軸部（図示は省略）が右端部に形成されており、後述のようにこの軸部が右上装飾体駆動部３１０５に保持される。
【０２４５】
また右上装飾体駆動部３１０５は、図５０（ａ）及び（ｂ）に示すように、裏箱３０１０内の正面視右上端部に固定され、右上装飾体駆動部筐体本体３１７０及び右上装飾体駆動部筐体蓋体３１７１から構成される右上装飾体駆動部筐体３１７２を備える。そして右上装飾体駆動部筐体３１７２の内部には、右上装飾体駆動部筐体本体３１７０に固定されたモータ３１７３の回転軸に同軸に固定された図示しないギアと、当該ギアと歯合し、かつ右上装飾体３１０４の右上装飾部材蓋体３１６１に設けられた上述の軸部を保持するギア群が収納されている。これにより右上装飾体駆動部３１７２は、モータ３１７３の回転出力をかかるギア群を介して右上装飾体３１０４の右上装飾部材蓋体３１６１の軸部に伝達し、この回転力によって右上装飾体３１０４を右上装飾部材蓋体３１６１の軸部を中心として所定範囲内で回転させることができるようになされている。
【０２４６】
［４．遊技内容］
次に、本実施形態のパチンコ機１による遊技内容について説明する。本実施形態のパチンコ機１は、扉枠３の前面右下隅に配置されたハンドルユニット５００のハンドルレバー５０４を遊技者が回転操作することで、皿ユニット２００の上皿２０１に貯留された遊技球が、遊技盤５における外レール１００１と内レール１００２との間を通って遊技領域５ａ内の上部へと打ち込まれて、遊技球による遊技が開始される。遊技領域５ａ内の上部へ打ち込まれた遊技球は、その打込強さによって遊技領域５ａ内を左右に分割しているセンター役物２５００の上側の左側、或いは、右側の何れかを流下する。なお、遊技球の打込み強さは、ハンドルレバー５０４の回転量によって調整することができ、時計回りの方向へ回転させるほど強く打込むことができる。
【０２４７】
また、遊技領域５ａ内には、適宜位置に所定のゲージ配列で複数の障害釘（図示は省略）が遊技パネル１１００の前面に植設されており、遊技球が障害釘に当接することで、遊技球の流下速度が抑制されると共に、遊技球に様々な動きが付与されて、その動きを楽しませられるようになっている。また、遊技領域５ａ内には、障害釘の他に、遊技球の当接により回転する風車（図示は省略）が適宜位置に備えられている。
【０２４８】
センター役物２５００の上部へ打込まれた遊技球が、センター役物２５００の前方突出部２５０１の外周面のうち、最も高くなった部位よりも正面視左側へ進入すると、図示しない複数の障害釘に遊技球が当接しながら、センター役物２５００の左側を流下することとなる。そして、センター役物２５００の左側を流下する遊技球が、センター役物２５００の前方突出部２５０１の外周面に開口しているワープ入口２５０２に進入すると、ワープ通路２５０３を通ってセンター役物２５００の枠内に開口しているワープ出口２５０４からステージ２５０５の左端に供給される。
【０２４９】
センター役物２５００のステージ２５０５に供給された遊技球は、ステージ２５０５上を左右へ転動して行ったり来たりして、左右方向中央の両側に形成されている放出部２５０５ａから前方へ放出され、遊技領域５ａ内におけるステージ２５０５の下側で始動口ユニット２１００の上側の領域を流下することとなる。これにより、始動口ユニット２１００の一般入賞口２００１や第一始動口２００２等に遊技球が受入れられる可能性がある。
【０２５０】
ステージ２５０５を転動している遊技球が、ステージ２５０５における左右方向中央の後側に開口しているチャンス出口２５０６に進入すると、遊技領域５ａ内に放出され、高い確率で第一始動口２００２に受入れられる。この第一始動口２００２に遊技球が受入れられると、主制御基板及び払出制御基板を介して払出装置８３０から所定数（例えば、３個）の遊技球が、上皿２０１に払出される。
【０２５１】
なお、ステージ２５０６から遊技領域５ａ内に放出された遊技球が、第一始動口２００２に受入れられずに、第一始動口２００２の左右何れかへ流下した場合、左右の下流に配置されている一般入賞口２００１に受入れられる可能性がある。そして、一般入賞口２００１に遊技球が受入れられると、主制御基板及び払出制御基板を介して払出装置８３０から所定数（例えば、１０個）の遊技球が、上皿２０１に払出される。
【０２５２】
また、センター役物２５００の左側へ流下した遊技球が、ワープ入口２５０２に進入しなかった場合、複数の障害釘やサイドユニット２２００の転動棚２２０１等によって、センター役物２５００の下側で遊技領域５ａ内の左右方向中央へ向かうように誘導され、下流側に配置されている一般入賞口２００１や第一始動口２００２等に受入れられる可能性がある。
【０２５３】
一方、遊技領域５ａ内においてセンター役物２５００の上部に打込まれた遊技球が、センター役物２５００の前方突出部２５０１の外周面の最も高くなった部位よりも右側に進入する（打込まれる）と、第一誘導通路２５１０へ進入し、第一誘導通路２５１０によりゲートセンサ２００５に誘導され、その後第二誘導通路を流下して排出口２５１２から下方の遊技領域５ａ内に放出される。
【０２５４】
排出口２５１２から遊技領域５ａ内に放出された遊技球は、直下に配置されているアタッカユニット２３００の通路入口２３１１に、極めて高い確率で進入する。そして、通路入口２３１１に進入した遊技球は、第二始動口扉２００６上に流下し、第二始動口扉２００６の上面に沿って左方へ転動することとなり、第二始動口扉２００６の左端から、更に第二始動口通路２３１０の外周上面を左方へ転動し、第二始動口通路２３１０の外周上面左端から下方へ放出される。この第二始動口通路２３１０の外周上面左端から放出された遊技球は、大入賞口２００４を閉鎖している大入賞口扉２００７の前側を通る。従って、大入賞口扉２００７が開状態の時には、大入賞口２００４に受入れられることとなる。
【０２５５】
本実施形態では、遊技球がゲートセンサ２００５を通過すると、主制御基板において普通抽選が行われ、抽選された普通抽選結果が「普通当り」の場合、第二始動口扉２００６が所定時間（例えば、０．３〜３秒）の間、後退して第二始動口２００３を開状態とする。従って、第二始動口扉２００６が後退して開状態となっているタイミングで、遊技球が通路入口２３１１を通って第二始動口扉２００６（第二始動口２００３）の位置に到達すると、遊技球が第二始動口２００３に受入れられる（第二始動口通路２３１０内に進入する）。
【０２５６】
本例では、普通抽選において、「普通当り」が抽選される確率が高く設定されている。従って、遊技球がゲートセンサ２００５を通過すると、比較的高い確率で、第二始動口２００３に受入れられる。第二始動口２００３に遊技球が受入れられると、主制御基板及び払出制御基板を介して払出装置８３０から所定数（例えば、１個）の遊技球が、上皿２０１に払出される。
【０２５７】
これにより、本実施形態では、センター役物２５００の右側を通るように遊技球の打込操作（所謂、右打ち）を行うと、極めて高い確率でゲートセンサ２００５を通過すると共に、ゲートセンサ２００５を遊技球が通過することで抽選される普通抽選結果が「普通当り」であれば、極めて高い確率で第二始動口２００３に受入れられるので、初心者や遊技に不慣れな遊技者でも簡単に第二始動口２００３に遊技球を受入れさせることができ、遊技者を楽しませることができる。
【０２５８】
ところで、本実施形態では、上述したように、遊技者が右打ちをすることで、第二始動口２００３に遊技球を簡単に受入れさせることができるため、第二始動口２００３への受入れ（入賞）により払出される遊技球が多くなると、本パチンコ機１を設置する遊技ホール側の負担が大きくなり、本パチンコ機１の設置に躊躇してしまう虞がある。しかしながら、本パチンコ機１では、第二始動口２００３への遊技球の受入れにより払出される遊技球の数を１個としているので、第二始動口２００３への受入れによる後述する特別抽選結果の抽選により遊技者の興趣を高めつつ遊技ホール側の負担を軽減させることができ、問題なく本パチンコ機１を設置させることができる。
【０２５９】
また、本実施形態では、ゲートセンサ２００５を遊技球が通過することで行われる普通抽選において、普通抽選を開始してから普通抽選結果を示唆するまでにある程度の時間を設定している（例えば、０．１〜３秒、普通変動時間とも称す）。この普通抽選結果の示唆は、遊技盤５の機能表示ユニット１４００で表示される。
【０２６０】
遊技球がゲートセンサ２００５を通過してから普通抽選結果が示唆されるまでの間に、遊技球がゲートセンサ２００５を通過すると、普通抽選結果の示唆を開始することができないため、普通抽選結果の示唆の開始を、先の普通抽選結果の示唆が終了するまで保留するようにしている。また、普通抽選結果の保留数は、４つまでを上限とし、それ以上については、ゲートセンサ２００５を遊技球が通過しても、保留せずに破棄している。これにより、保留が貯まることで遊技ホール側の負担の増加を抑制している。
【０２６１】
本実施形態のパチンコ機１は、第一始動口２００２及び第二始動口２００３に遊技球が受入れられると、主制御基板において、遊技者に有利な有利遊技状態（例えば、「大当り」、「中当り」、「小当り」、「確率変動当り」、「時間短縮当り」、等）を発生させる特別抽選結果の抽選が行われる。そして、抽選された特別抽選結果を、所定時間（例えば、５〜３６０秒）かけて遊技者に示唆する。なお、第一始動口２００２及び第二始動口２００３に遊技球が受入れられることで抽選される特別抽選結果には、「ハズレ」、「小当り」、「２Ｒ大当り」、「１５Ｒ大当り」、「確変（確率変更）当り」、「時短（時間短縮）当り」、「確変時短当り」、「確変時短無し当り」、等がある。
【０２６２】
第一始動口２００２及び第二始動口２００３への遊技球の受入れにより抽選された特別抽選結果が、有利遊技状態を発生させる特別抽選結果の場合、アタッカユニット２３００において大入賞口扉２００７が、抽選された特別抽選結果に応じた開閉パターンで開閉動作し、大入賞口２００４へ遊技球を受入れさせることができるようになる。この大入賞口２００４が開状態の時に、大入賞口２００４に遊技球が受入れられると、主制御基板及び払出基板によって払出装置８３０から所定数（例えば、１０個、又は、１３個）の遊技球が、上皿２０１に払出される。従って、大入賞口扉２００７が所定パターンで開閉動作している時に、大入賞口２００４に遊技球を受入れさせることで、多くの遊技球を払出させることができ、遊技者を楽しませることができる。
【０２６３】
本実施形態では、第一始動口２００２及び第二始動口２００３への遊技球の受入れにより特別抽選の開始から抽選された特別抽選結果が示唆されるまでの間に、第一始動口２００２及び第二始動口２００３に遊技球が受入れられると、特別抽選結果の示唆を開始することができないため、先に抽選された特別抽選結果の示唆が完了するまで、特別抽選結果の示唆の開始が保留される。この保留される特別抽選結果の保留数は、第一始動口２００２及び第二始動口２００３に対して、夫々４つまでを上限とし、それ以上については、第一始動口２００２及び第二始動口２００３に遊技球が受入れられても特別抽選結果を保留せずに、破棄している。これにより、保留が貯まることで遊技ホール側の負担の増加を抑制している。
【０２６４】
この特別抽選結果の示唆は、機能表示ユニット１４００と中央液晶表示装置１５００とで行われる。機能表示ユニット１４００では、主制御基板によって直接制御されて特別抽選結果の示唆が行われる。機能表示ユニット１４００での特別抽選結果の示唆は、複数のＬＥＤを、点灯・消灯を繰返して所定時間点滅させ、その後に、点灯しているＬＥＤの組合わせによって特別抽選結果を示唆する。
【０２６５】
一方、中央液晶表示装置１５００では、主制御基板からの制御信号に基づいて、周辺制御基板によって間接的に制御され演出画像として特別抽選結果の示唆が行われる。中央液晶表示装置１５００での特別抽選結果を示唆する演出画像は、複数の図柄からなる図柄列を、左右方向へ三つ並べて表示した状態で、各図柄列を変動させ、変動表示されている図柄列を順次停止表示させ、停止表示される三つの図柄列の図柄が、特別抽選結果と対応した組合わせとなるように夫々の図柄列が停止表示される。特別抽選結果が「ハズレ」以外の場合は、三つの図柄列が停止して各図柄が停止表示された後に、特別抽選結果を示唆する確定画像が中央液晶表示装置１５００に表示されて、抽選された特別抽選結果に応じた有利遊技状態（例えば、小当り遊技、大当り遊技、等）が発生する。
【０２６６】
なお、機能表示ユニット１４００での特別抽選結果を示唆する時間（ＬＥＤの点滅時間（変動時間））と、中央液晶表示装置１５００での特別抽選結果を示唆する時間（図柄列が変動して確定画像が表示されるまでの時間）とは、異なっており、機能表示ユニット１４００の方が短い時間に設定されている。
【０２６７】
また、周辺制御基板では、中央液晶表示装置１５００による特別抽選結果を示唆するための演出画像の表示の他に、抽選された特別抽選結果に応じて、上部前側演出ユニット３１００、上部後側演出ユニット３２００、下部演出ユニット３３００等を適宜用いて可動演出を行うようにしており、可動演出によっても遊技者を楽しませることができ、遊技者の遊技に対する興趣が低下するのを抑制することができる。
【０２６８】
特別抽選結果が「小当り」の場合、アタッカユニット２３００の大入賞口扉２００７が、所定短時間（例えば、０．２秒〜０．６秒の間）の間、開状態となって閉鎖する開閉パターンを複数回（例えば、２回）繰返す。一方、特別抽選結果が「大当り」の場合、アタッカユニット２３００の大入賞口扉２００７が、開状態となった後に、所定時間（例えば、約３０秒）経過、或いは、大入賞口２００４への所定個数（例えば、１０個）の遊技球の受入れ、の何れかの条件が充足すると、大入賞口扉２００７を閉状態とする開閉パターン（一回の開閉パターンを１ラウンドと称す）を、所定回数（所定ラウンド数）繰返す。例えば、「２Ｒ大当り」であれば２ラウンド、「１５Ｒ大当り」であれば１５ラウンド、夫々繰返して、遊技者に有利な有利遊技状態を発生させる。
【０２６９】
なお、「大当り」では、大当り遊技の終了後に、「大当り」等の特別抽選結果が抽選される確率を変更（「確変当り」）したり、特別抽選結果を示唆する演出画像の表示時間を変更（「時短当り」）したりする「当り」がある。
【０２７０】
ところで、本実施形態のパチンコ機１では、第一始動口２００２や第二始動口２００３への遊技球の受入れにより抽選された特別抽選結果として、機能表示ユニット１４００や中央液晶表示装置１５００での特別抽選結果の示唆が終了しても、ゲートセンサ２００５での遊技球の検知がなされない限り、有利遊技状態を発生させない「特別大当り」がある。この「特別大当り」が抽選されると、中央液晶表示装置１５００に、その特別抽選結果を示唆するための特別の演出画像の表示が開始される。そして、センター役物２５００において三つの図柄列が特別抽選結果として「大当り（特別大当り）」と対応する図柄の組合わせで停止表示されると、センター役物２５００の進入検知センサ２５３０による遊技球の検知が有効となると共に、中央液晶表示装置１５００に第一誘導通路２５１０への遊技球の打込を促す演出画像（例えば、第一誘導通路２５１０を指示すような矢印の画像）が表示される。
【０２７１】
この遊技者に対する第一誘導通路２５１０への遊技球の打込みの促しは、中央液晶表示装置１５００による演出画像の表示の他に、誘導通路２５１０を後側から発光装飾させたり、音声や音楽等のサウンドを出力したりしても良い。
【０２７２】
［５．本実施形態と本発明の関係］
本実施形態の左上装飾体３１０２、第一左上装飾体３１１０及び第二左上装飾体３１１１は、夫々本発明の装飾体、第一装飾体又は第二装飾体に相当している。また本実施形態の左上装飾体駆動部３１０３は、本発明の装飾体駆動手段に相当している。
【０２７３】
［６．本実施形態の特徴的な作用効果］
上述のように本実施形態のパチンコ機１では、上部前側演出ユニット３１００の上装飾体３１０１が初期状態である水平な状態（図４７を参照）から左上装飾体駆動部３１０３のモータ３１４３をその回転軸３１４４が正面視時計回り方向に回動するよう駆動させると、その回動力がギア３１４５及びギア３１４６を介して第一欠歯ギア３１４７に伝達され、第一欠歯ギア３１４７が正面視時計回り方向に回動することにより、第一欠歯ギア３１４７に取り付けられたローラ３１４８が第二欠歯ギア３１４９の突起部３１４９ａを下方向に押下し、この結果として第二欠歯ギア３１４９がギア３１５０を正面視時計回り方向に回動させることにより、当該ギア３１５０に軸部３１３１ａが保持された第二左上装飾体３１１１が第一左上装飾体３１１０と一体に正面視時計回り方向に回動する。
【０２７４】
そして第二左上装飾体３１１１の傾き角が上述のスライダ始動角を超えると、スライダ駆動部材３１３８の第一係合突起３１３８ａがスライダ３１３７を正面視右方向に押し始めることによりスライダ３１３４がその方向にスライド移動する。またスライダ３１３４のスライド移動に伴って、当該スライダ３１３４に連結された第一左上装飾体３１１０が第二左上装飾体３１１１から離反する方向に移動する。
【０２７５】
さらに第二左上装飾体３１１１の傾き角が上述の開放角度を超えると（図５６参照）、第一左上装飾体３１１０の連結部３１２２の半円状の先端部よりも根元側が第二左上装飾体３１１１の第二左上装飾体蓋体カバー３１３７のＹ字状凸部３１３７ａの下側凸部３１３７ａａから外れることにより第一左上装飾体３１１０が開放され、第一左上装飾体３１１０がスライダ３１３４の連結突起３１３４ａの中心軸を中心として慣性力及び重力のみに基づいて自然な状態で揺動することができるようになる。
【０２７６】
この後、左上装飾体駆動部３１０３のモータ３１４３を回転軸３１４４が正面視反時計回り方向に回動するよう駆動すると、その回動力がギア３１４５及びギア３１４６を介して第一欠歯ギア３１４７に伝達され、第一欠歯ギア３１４７が正面視反時計回り方向に回動することにより、第一欠歯ギア３１４７に取り付けられたローラ３１４８が第二欠歯ギア３１４９の突起部３１４９ａを押し上げ、この結果として第二欠歯ギア３１４９がギア３１５０を正面視反時計回り方向に回動させることにより、第二左上装飾体３１１１が正面視反時計回り方向に回動する。
【０２７７】
そして第二左上装飾体３１１１の正面視反時計回り方向の回動に伴い、スライダ駆動部材３１３８の第一係合突起３１３８ａがスライダ３１３４を第二左上装飾体３１１１の正面視左方向に押すことによりスライダ３１３４がその方向にスライド移動する。またスライダ３１３４のスライド移動に伴って、当該スライダ３１３４に連結された第一左上装飾体３１１０が第二左上装飾体３１１１の長手方向のうちの当該第二左上装飾体３１１１に近接する方向に移動する。
【０２７８】
そして、第二左上装飾体３１１１の傾きが上述の開放角度まで戻り、第一左上装飾体３１１０の連結部３１２２の半円状の先端部よりも根元側が第二左上装飾体３１１１の第二左上装飾体蓋体カバー３１３７のＹ字状凸部３１３７ａの下側凸部３１３７ａａ内に入り込むと、当該下側凸部３１３７ａａの下側の内側面により第一左上装飾体３１１１の連結部３１２２の半円状の先端部よりも根元側が支えられることにより第一左上装飾体３１１１のスライド方向（第二左上装飾体３１１１の長手方向）以外の動きが抑制され、第一左上装飾体３１１０が揺動できなくなる。この結果、これ以降は第一左上装飾体３１１０及び第二左上装飾体３１１１が一体に正面視反時計回り方向に回動することになる。
【０２７９】
この後、第一左上装飾体３１１０及び第二左上装飾体３１１１が上述のスライド始動角度に戻るまでの間、スライダ３１３４の正面視左方向のスライド移動に伴って、当該スライダ３１３４と連結された第一左上装飾体３１１０が第二左上装飾体３１１１に近づく方向に移動する。そして第二左上装飾体３１１１の傾き角がスライド始動角度にまで到達すると、第一左上装飾体３１１０及び第二左上装飾体３１１１が当接した状態に戻り、この後、その状態のまま第一左上装飾体３１１０及び第二左上装飾体３１１１が正面視反時計回り方向に回転し、やがて第一左上装飾体３１１０及び第二左上装飾体３１１１が初期状態である水平状態に戻る。
【０２８０】
なお、第一左上装飾体３１１０及び第二左上装飾体３１１１が初期状態にあるときには、モータ３１４３に対してその回転軸３１４４を正面視反時計回り方向に回動させる駆動電力が常に印加される。このため第一左上装飾体３１１０及び第二左上装飾体３１１１の重みや振動等により当該第一左上装飾体３１１０及び第二左上装飾体３１１１が自然に回動することはない。
【０２８１】
このように本実施形態のパチンコ機１では、左上装飾体３１０２を水平状態から正面視時計回り方向に回動させて上述の開放角度以上に傾けることで、第一左上装飾体３１１０を慣性力及び重力のみに基づいて揺動させることができるため、第一左上装飾体３１１０が機械的ではない自然な動きを発現することとなる。この結果、第一左上装飾体３１１０が第二左上装飾体３１１１から開放される度に異なる動きを発現するため、左上装飾体３１０２を回動させる演出を遊技者が飽き難くすることができると共に、逆に第一左上装飾体３１１０の動きを遊技者に楽しませることができ、かくして遊技に対する遊技者の興趣が低下するのを抑制することができる。
【０２８２】
また、左上装飾体３１０２が水平状態から正面視時計回り方向に所定角度だけ回動するまでの間は第一左上装飾体３１１０及び第二左上装飾体３１１１が一体に回動し、左上装飾体３１０２が正面視時計回り方向にさらに回動したときに第一左上装飾体３１１０が開放されて、第一左上装飾体３１１０が慣性力及び重力のみに基づいて自然な状態で揺動するため、第一左上装飾体３１１０の動きを機械的な動きから自然な動きへ、また自然な動きから機械的な動きへと変化させることができ、その分、上部前側演出ユニット３１００の動きを遊技者に楽しませて遊技に対する興趣が低下するのを抑制することができる。
【０２８３】
さらに、このように第一左上装飾体３１１０を慣性力及び重力のみに基づいて自然な状態で揺動させることができるため、第一左上装飾体３１１０及び第二左上装飾体３１１１を常に一体に回動させる場合と比べて左上装飾体３１０２全体としての動きを大きくかつ目立つように見せることができる。かくするにつき、左上装飾体３１０２の動きによって遊技者を楽しませて遊技者の遊技に対する興趣が低下するのを有効に防止することができる。
【０２８４】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０２８５】
すなわち、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
【符号の説明】
【０２８６】
１  パチンコ機
２  外枠
３  扉枠
４  本体枠
５  遊技盤
５ａ  遊技領域
１０００  前構成部材
１１００  遊技パネル
１１１０  パネル板
１１１１  アウト口
１１２０  パネルホルダ
１３００  主制御基板ボックス
１４００  機能表示ユニット
１５００  中央液晶表示装置
１６００  周辺制御ユニット
２０００  表ユニット
３０００  裏ユニット
３０１０  裏箱
３１００  上部前側演出ユニット
３１０１  上装飾体
３１０２  左上装飾体
３１０３  左上装飾体駆動部
３１０４  右上装飾体
３１０５  右上装飾体駆動部
３１１０  第一左上装飾体
３１１１  第二左上装飾体
３１３１ａ  軸部
３１３２  空間
３１３４  スライダ
３１３４ａ連結突起
３１３７  第二左上装飾体蓋体カバー
【図１】
2017046831.tif 000003
【図２】
2017046831.tif 000004
【図３】
2017046831.tif 000005
【図４】
2017046831.tif 000006
【図５】
2017046831.tif 000007
【図６】
2017046831.tif 000008
【図７】
2017046831.tif 000009
【図８】
2017046831.tif 000010
【図９】
2017046831.tif 000011
【図１０】
2017046831.tif 000012
【図１１】
2017046831.tif 000013
【図１２】
2017046831.tif 000014
【図１３】
2017046831.tif 000015
【図１４】
2017046831.tif 000016
【図１５】
2017046831.tif 000017
【図１６】
2017046831.tif 000018
【図１７】
2017046831.tif 000019
【図１８】
2017046831.tif 000020
【図１９】
2017046831.tif 000021
【図２０】
2017046831.tif 000022
【図２１】
2017046831.tif 000023
【図２２】
2017046831.tif 000024
【図２３】
2017046831.tif 000025
【図２４】
2017046831.tif 000026
【図２５】
2017046831.tif 000027
【図２６】
2017046831.tif 000028
【図２７】
2017046831.tif 000029
【図２８】
2017046831.tif 000030
【図２９】
2017046831.tif 000031
【図３０】
2017046831.tif 000032
【図３１】
2017046831.tif 000033
【図３２】
2017046831.tif 000034
【図３３】
2017046831.tif 000035
【図３４】
2017046831.tif 000036
【図３５】
2017046831.tif 000037
【図３６】
2017046831.tif 000038
【図３７】
2017046831.tif 000039
【図３８】
2017046831.tif 000040
【図３９】
2017046831.tif 000041
【図４０】
2017046831.tif 000042
【図４１】
2017046831.tif 000043
【図４２】
2017046831.tif 000044
【図４３】
2017046831.tif 000045
【図４４】
2017046831.tif 000046
【図４５】
2017046831.tif 000047
【図４６】
2017046831.tif 000048
【図４７】
2017046831.tif 000049
【図４８】
2017046831.tif 000050
【図４９】
2017046831.tif 000051
【図５０】
2017046831.tif 000052
【図５１】
2017046831.tif 000053
【図５２】
2017046831.tif 000054
【図５３】
2017046831.tif 000055
【図５４】
2017046831.tif 000056
【図５５】
2017046831.tif 000057
【図５６】
2017046831.tif 000058